(57)【要約】本開示は、ナローバンド通信システムにおいてＡＣＫおよび／またはＮＡＣＫを送信するための既存の技法に対して様々な修正を提供する。例えば、第１の態様では、装置は、ダウンリンク送信を受信し、時間拡散を使用してＡＣＫチャネル上でシングルトーンＡＣＫを送信する。別の態様では、装置は、ＡＣＫがしきい値量の時間内にＵＥから受信されたかどうかを決定し、ＡＣＫが少なくともしきい値量の時間の間にＵＥから受信されていないときに、ＡＣＫに関して送信するというインジケーションをＵＥに送信する。【選択図】図５
2019508938.tif 000002
【特許請求の範囲】
【請求項１】
ワイヤレス通信の方法であって、
ダウンリンク送信を受信することと、
時間拡散を使用して確認応答（ＡＣＫ）チャネル上でシングルトーンＡＣＫを送信することと
を備える、方法。
【請求項２】
前記ワイヤレス通信は、ナローバンドワイヤレス通信を備える、請求項１に記載の方法。
【請求項３】
複数のユーザは、時間ドメイン中で複数のシンボルを横切る（cross）異なる直交カバーコードと符号分割多重化される、請求項１に記載の方法。
【請求項４】
前記送信は、７つのシンボル期間あたり３つの復調基準信号（ＤＭ−ＲＳ）シンボルを含む、請求項１に記載の方法。
【請求項５】
前記送信は、前記ＤＭ−ＲＳシンボルに対して３の拡散率を含む、請求項４に記載の方法。
【請求項６】
前記送信は、データシンボルに対して２または４の拡散率を含む、請求項５に記載の方法。
【請求項７】
直交カバーコードは、前記ＲＳおよびデータシンボルの拡散を行うために選択され、前記直交カバーコードは、セル固有サイクリックシフトおよび拡散率の数の関数である、請求項５に記載の方法。
【請求項８】
前記送信は、ＲＳおよびデータシンボルに対して１の拡散率を含む、請求項４に記載の方法。
【請求項９】
前記送信は、複数のサブフレームにわたってカバーコードホッピングを使用して送信される、請求項１に記載の方法。
【請求項１０】
前記送信は、スロットベースの周波数ホッピングを伴わずに送信される、請求項１に記載の方法。
【請求項１１】
前記送信は、スロットベースの周波数ホッピングを使用して送信される、請求項１に記載の方法。
【請求項１２】
前記ＡＣＫは、サブフレーム中に等しい数のデータシンボルと基準信号（ＲＳ）シンボルとを有するシングルトーン内で送信される、請求項１に記載の方法。
【請求項１３】
前記ＲＳシンボルに対する前記データシンボルの配置は、前記サブフレーム中の前記シングルトーン内で任意であり、
前記データシンボルとＲＳとは、スロットベースの周波数ホッピングを伴わずに送信される、請求項１２に記載の方法。
【請求項１４】
前記ＡＣＫチャネルを物理アップリンク共有チャネル（ＰＵＳＣＨ）と多重化すること
をさらに備える、請求項１に記載の方法。
【請求項１５】
前記ＡＣＫチャネルと前記ＰＵＳＣＨとは、サブフレーム内で周波数においてホッピングする、請求項１４に記載の方法。
【請求項１６】
前記ＡＣＫチャネルと前記ＰＵＳＣＨとは、サブフレーム内で周波数において連続的である、請求項１４に記載の方法。
【請求項１７】
前記ＡＣＫチャネルは、エッジトーン間でホッピングし、前記ＰＵＳＣＨは、前記エッジトーン間の残りのトーンを占有するか、または前記ＰＵＳＣＨは、エッジトーン間でホッピングし、前記ＡＣＫチャネルは、前記エッジトーン間で残りのトーンを占有する、請求項１４に記載の方法。
【請求項１８】
前記ＡＣＫチャネルのバンドリングサイズに基づいてタイミング調整タイマを調整すること
をさらに備える、請求項１４に記載の方法。
【請求項１９】
前記ダウンリンク送信に関連付けられた否定応答（ＮＡＣＫ）を送信すること
をさらに備える、請求項１に記載の方法。
【請求項２０】
前記ＮＡＣＫは、第２のチャネルを使用して送信される、請求項１９に記載の方法。
【請求項２１】
前記ＮＡＣＫは、オン／オフ構成を使用して送信される、請求項１９に記載の方法。
【請求項２２】
スケジューリング要求（ＳＲ）が前記ＮＡＣＫと同時に送信されることになるか、または前記ＡＣＫと同時に送信されることになるかに基づいて前記ＮＡＣＫまたはＡＣＫの前記送信用のリソースを選択すること
をさらに備える、請求項１９に記載の方法。
【請求項２３】
前記選択されたリソースがそこから選択されるリソースのグループは、同じチャネル構造と、異なるトーン、異なるシーケンス、または異なるカバーコードのうちの少なくとも１つとを備え、異なるトーン、異なるシーケンス、または異なるカバーコードのうちの少なくとも１つを有するリソースは、前記スケジューリング要求（ＳＲ）が前記ＮＡＣＫと同時に送信されることになるか、または前記ＡＣＫと同時に送信されることになるかに基づいて選択される、請求項２２に記載の方法。
【請求項２４】
前記選択されたリソースがそこから選択されるリソースのグループは、異なるチャネル構造を備え、前記リソースは、前記送信が前記ＮＡＣＫのためのものであるか、あるいは前記ＮＡＣＫまたは前記ＡＣＫとともに前記ＳＲのためのものであるかに依存して選択される、請求項２２に記載の方法。
【請求項２５】
前記リソースの各々は、シングルトーンを備える、請求項２４に記載の方法。
【請求項２６】
前記選択されたリソースがそこから選択されるリソースのグループは、統合されたチャネル構造を備え、前記リソースの各々は、シングルトーンを備え、
前記ＳＲを伴わずに送信される前記ＮＡＣＫについては、前記ＮＡＣＫは、３および４の拡散率を使用して送信され、
前記ＡＣＫまたは前記ＮＡＣＫのいずれかを伴って送信される前記ＳＲについては、３の拡散率が前記ＲＳに対して使用され、４の拡散率が前記ＡＣＫまたはＮＡＣＫに対して使用される、請求項２２に記載の方法。
【請求項２７】
前記方法は、ユーザ機器（ＵＥ）によって実行され、前記方法は、
前記ＵＥが物理アップリンク共有チャネル（ＰＵＳＣＨ）上での送信用のデータを有するかどうかを決定することと、
前記ＵＥが前記ＰＵＳＣＨ上での送信用のデータを有するときに、前記ＰＵＳＣＨ上でＡＣＫおよび第２のＮＡＣＫのうちの１つを送信することと
をさらに備える、請求項１に記載の方法。
【請求項２８】
前記方法は、ユーザ機器（ＵＥ）によって実行され、前記方法は、
前記ＵＥがＰＵＳＣＨ上での送信用のデータを有するかどうかを決定することと、
前記ＵＥが送信用のデータを有さないときに、ＡＣＫを送信することを控えることと
をさらに備える、請求項１に記載の方法。
【請求項２９】
物理アップリンク共有制御チャネル（ＰＵＳＣＨ）上で前記ＡＣＫを送信すること
をさらに備える、請求項１に記載の方法。
【請求項３０】
前記ＡＣＫは、多くとも２ビットを備え、前記方法は、
前記ＰＵＳＣＨ上での送信のために複数のＡＣＫをともにグループ化すること
をさらに備える、請求項２９に記載の方法。
【請求項３１】
物理レイヤＡＣＫを送信することなしに、上位レイヤ送信を介してＡＣＫを通信すること
をさらに備える、請求項１に記載の方法。
【請求項３２】
ＡＣＫを送信するというインジケーションが受信されるまで、前記ダウンリンク送信に関連付けられた少なくとも１つのＡＣＫを送信することを控えること
をさらに備える、請求項１に記載の方法。
【請求項３３】
発展型ノードＢ（ｅＮＢ）からＡＣＫを送信するというインジケーションを受信することと、
ＰＵＳＣＨ上で前記ｅＮＢにＡＣＫに関して送信することと
をさらに備える、請求項３２に記載の方法。
【請求項３４】
ＡＣＫを送信するという前記インジケーションは、ワイヤレス通信が前記ｅＮＢから成功裏に受信されたかどうかをＵＥが示すべき期間を示す、請求項３３に記載の方法。
【請求項３５】
ワイヤレス通信のための装置であって、
ダウンリンク送信を受信するための手段と、
時間拡散を使用して確認応答（ＡＣＫ）チャネル上でシングルトーンＡＣＫを送信するための手段と
を備える、装置。
【請求項３６】
複数のユーザは、時間ドメイン中で複数のシンボルを横切る異なる直交カバーコードで符号分割多重化される、請求項３５に記載の装置。
【請求項３７】
前記送信は、７つのシンボル期間あたり３つの復調基準信号（ＤＭ−ＲＳ）シンボルを含む、請求項３５に記載の装置。
【請求項３８】
前記送信は、複数のサブフレームにわたってカバーコードホッピングを使用して送信される、請求項３５に記載の装置。
【請求項３９】
前記送信は、スロットベースの周波数ホッピングを伴わずに送信される、請求項３５に記載の装置。
【請求項４０】
前記ＡＣＫチャネルを物理アップリンク共有チャネル（ＰＵＳＣＨ）と多重化するための手段
をさらに備える、請求項３５に記載の装置。
【請求項４１】
前記ＰＵＳＣＨと多重化された前記ＡＣＫチャネルのバンドリングサイズに基づいてタイミング調整タイマを調整するための手段
をさらに備える、請求項４０に記載の装置。
【請求項４２】
前記送信するための手段は、前記ダウンリンク送信に関連付けられた否定応答（ＮＡＣＫ）を送信する、請求項３５に記載の装置。
【請求項４３】
前記送信するための手段は、スケジューリング要求（ＳＲ）が前記ＮＡＣＫと同時に送信されることになるか、または前記ＡＣＫと同時に送信されることになるかに基づいて前記ＮＡＣＫまたはＡＣＫの前記送信用のリソースを選択し、前記リソースの各々は、シングルトーンを備え、
前記選択されたリソースがそこから選択されるリソースのグループは、
同じチャネル構造と、異なるトーン、異なるシーケンス、または異なるカバーコードのうちの少なくとも１つと、ここにおいて、異なるトーン、異なるシーケンス、または異なるカバーコードのうちの少なくとも１つを有するリソースは、前記スケジューリング要求（ＳＲ）が前記ＮＡＣＫと同時に送信されることになるか、または前記ＡＣＫと同時に送信されることになるかに基づいて選択される、または、
異なるチャネル構造と、ここにおいて、前記リソースは、前記送信が前記ＮＡＣＫのためのものであるか、あるいは前記ＮＡＣＫまたは前記ＡＣＫとともに前記ＳＲのためのものであるかに依存して選択される、
を備える、請求項４２に記載の装置。
【請求項４４】
前記送信するための手段は、スケジューリング要求（ＳＲ）が前記ＮＡＣＫと同時に送信されることになるか、または前記ＡＣＫと同時に送信されることになるかに基づいて前記ＮＡＣＫまたはＡＣＫの前記送信用のリソースを選択し、前記選択されたリソースがそこから選択されるリソースのグループは、統合されたチャネル構造を備え、前記リソースの各々は、シングルトーンを備え、
前記ＳＲを伴わずに送信される前記ＮＡＣＫについては、前記ＮＡＣＫは、３および４の拡散率を使用して送信され、
前記ＡＣＫまたは前記ＮＡＣＫのいずれかを伴って送信される前記ＳＲについては、３の拡散率が前記ＲＳに対して使用され、４の拡散率が前記ＡＣＫまたはＮＡＣＫに対して使用される、請求項４２に記載の装置。
【請求項４５】
前記送信するための手段は、ＵＥが前記ＰＵＳＣＨ上での送信用のデータを有するかどうかを決定し、前記装置が物理アップリンク共有チャネル（ＰＵＳＣＨ）上での送信用のデータを有するときに、前記ＰＵＳＣＨ上で前記ＡＣＫおよび第２のＮＡＣＫのうちの１つを送信し、前記装置が送信用のデータを有さないときに、前記ＡＣＫを送信することを控える、請求項３５に記載の装置。
【請求項４６】
前記送信するための手段は、物理アップリンク共有制御チャネル（ＰＵＳＣＨ）上で前記ＡＣＫを送信する、請求項３５に記載の装置。
【請求項４７】
前記ＡＣＫは、多くとも２ビットを備え、前記送信するための手段は、前記ＰＵＳＣＨ上での送信のために複数のＡＣＫをともにグループ化する、請求項４６に記載の装置。
【請求項４８】
前記送信するための手段は、ＡＣＫを送信するというインジケーションが受信されるまで、前記ダウンリンク送信に関連付けられた少なくとも１つのＡＣＫを送信することを控える、請求項３５に記載の装置。
【請求項４９】
ＡＣＫを送信するというインジケーションを発展型ノードＢ（ｅＮＢ）から受信するための手段、ここにおいて、前記送信するための手段は、前記インジケーションを受信することに応答して、前記ＰＵＳＣＨ上で前記ｅＮＢにＡＣＫに関して送信する、
をさらに備える、請求項４８に記載の装置。
【請求項５０】
ワイヤレス通信のための装置であって、
メモリと、
前記メモリに結合され、
ダウンリンク送信を受信することと、
時間拡散を使用して確認応答（ＡＣＫ）チャネル上でシングルトーンＡＣＫを送信することと
を行うように構成された少なくとも１つのプロセッサと
を備える、装置。
【請求項５１】
複数のユーザは、時間ドメイン中で複数のシンボルを横切る異なる直交カバーコードと符号分割多重化される、請求項５０に記載の装置。
【請求項５２】
前記送信は、７つのシンボル期間あたり３つの復調基準信号（ＤＭ−ＲＳ）シンボルを含む、請求項５０に記載の装置。
【請求項５３】
前記送信は、複数のサブフレームにわたってカバーコードホッピングを使用して送信される、請求項５０に記載の装置。
【請求項５４】
前記送信は、スロットベースの周波数ホッピングを伴わずに送信される、請求項５０に記載の装置。
【請求項５５】
前記少なくとも１つのプロセッサは、
前記ＡＣＫチャネルを物理アップリンク共有チャネル（ＰＵＳＣＨ）と多重化すること
を行うようにさらに構成される、請求項５０に記載の装置。
【請求項５６】
前記少なくとも１つのプロセッサは、
前記ＰＵＳＣＨと多重化された前記ＡＣＫチャネルのバンドリングサイズに基づいてタイミング調整タイマを調整すること
を行うようにさらに構成される、請求項５５に記載の装置。
【請求項５７】
前記少なくとも１つのプロセッサは、
前記ダウンリンク送信に関連付けられた否定応答（ＮＡＣＫ）を送信すること
を行うようにさらに構成される、請求項５０に記載の装置。
【請求項５８】
前記少なくとも１つのプロセッサは、
スケジューリング要求（ＳＲ）が前記ＮＡＣＫと同時に送信されることになるか、または前記ＡＣＫと同時に送信されることになるかに基づいて前記ＮＡＣＫまたはＡＣＫの前記送信用のリソースを選択すること、ここにおいて、前記リソースの各々は、シングルトーンを備え、
前記選択されたリソースがそこから選択されるリソースのグループは、
同じチャネル構造と、異なるトーン、異なるシーケンス、または異なるカバーコードのうちの少なくとも１つと、ここにおいて、異なるトーン、異なるシーケンス、または異なるカバーコードのうちの少なくとも１つを有するリソースは、前記スケジューリング要求（ＳＲ）が前記ＮＡＣＫと同時に送信されることになるか、または前記ＡＣＫと同時に送信されることになるかに基づいて選択される、または、
異なるチャネル構造、ここにおいて、前記リソースは、前記送信が前記ＮＡＣＫのためのものであるか、あるいは前記ＮＡＣＫまたは前記ＡＣＫとともに前記ＳＲのためのものであるかに依存して選択される、
を備える、
を行うようにさらに構成される、請求項５７に記載の装置。
【請求項５９】
前記少なくとも１つのプロセッサは、
スケジューリング要求（ＳＲ）が前記ＮＡＣＫと同時に送信されることになるか、または前記ＡＣＫと同時に送信されることになるかに基づいて前記ＮＡＣＫまたは前記ＡＣＫの前記送信用のリソースを選択すること、ここにおいて、前記選択されたリソースがそこから選択されるリソースのグループは、統合されたチャネル構造を備え、前記リソースの各々は、シングルトーンを備え、
前記ＳＲを伴わずに送信される前記ＮＡＣＫについては、前記ＮＡＣＫは、３および４の拡散率を使用して送信され、
前記ＡＣＫまたは前記ＮＡＣＫのいずれかを伴って送信される前記ＳＲについては、３の拡散率が前記ＲＳに対して使用され、４の拡散率が前記ＡＣＫまたはＮＡＣＫに対して使用される、
を行うようにさらに構成される、請求項５７に記載の装置。
【請求項６０】
前記少なくとも１つのプロセッサは、
ＵＥがＰＵＳＣＨ上での送信用のデータを有するかどうかを決定することと、
前記装置が物理アップリンク共有チャネル（ＰＵＳＣＨ）上での送信用のデータを有するときに、前記ＰＵＳＣＨ上で前記ＡＣＫおよび第２のＮＡＣＫのうちの１つを送信することと、
前記装置が送信用のデータを有さないときに、前記ＡＣＫを送信することを控えることと
を行うようにさらに構成される、請求項５０に記載の装置。
【請求項６１】
前記少なくとも１つのプロセッサは、
物理アップリンク共有制御チャネル（ＰＵＳＣＨ）上で前記ＡＣＫを送信すること
を行うようにさらに構成される、請求項５０に記載の装置。
【請求項６２】
前記ＡＣＫは、多くとも２ビットを備え、前記少なくとも１つのプロセッサは、
前記ＰＵＳＣＨ上での送信のために複数のＡＣＫをともにグループ化すること
を行うようにさらに構成される、請求項６１に記載の装置。
【請求項６３】
前記少なくとも１つのプロセッサは、
ＡＣＫを送信するというインジケーションが受信されるまで、前記ダウンリンク送信に関連付けられた少なくとも１つのＡＣＫを送信することを控えること
を行うようにさらに構成される、請求項５０に記載の装置。
【請求項６４】
前記少なくとも１つのプロセッサは、
ＡＣＫを送信するというインジケーションを発展型ノードＢ（ｅＮＢ）から受信することと、
前記インジケーションを受信することに応答して、前記ＰＵＳＣＨ上で前記ｅＮＢにＡＣＫに関して送信することと
を行うようにさらに構成される、請求項６３に記載の装置。
【請求項６５】
コンピュータ実行可能コードを記憶するコンピュータ可読媒体であって、
ダウンリンク送信を受信することと、
時間拡散を使用して確認応答（ＡＣＫ）チャネル上でシングルトーンＡＣＫを送信することと
を行うためのコードを備える、コンピュータ可読媒体。
【請求項６６】
複数のユーザは、時間ドメイン中で複数のシンボルを横切る異なる直交カバーコードと符号分割多重化される、請求項６５に記載のコンピュータ可読媒体。
【請求項６７】
前記送信は、７つのシンボル期間あたり３つの復調基準信号（ＤＭ−ＲＳ）シンボルを含む、請求項６５に記載のコンピュータ可読媒体。
【請求項６８】
前記送信は、複数のサブフレームにわたってカバーコードホッピングを使用して送信される、請求項６５に記載のコンピュータ可読媒体。
【請求項６９】
前記送信は、スロットベースの周波数ホッピングを伴わずに送信される、請求項６５に記載のコンピュータ可読媒体。
【請求項７０】
前記ＡＣＫは、物理アップリンク共有制御チャネル（ＰＵＳＣＨ）上で送信される、請求項６５に記載のコンピュータ可読媒体。
【請求項７１】
前記ＡＣＫチャネルを物理アップリンク共有チャネル（ＰＵＳＣＨ）と多重化すること
を行うためのコードをさらに備える、請求項６５に記載のコンピュータ可読媒体。
【請求項７２】
ワイヤレス通信の方法であって、
確認応答（ＡＣＫ）がしきい値量の時間内にユーザ機器（ＵＥ）から受信されたかどうかを決定することと、
前記ＡＣＫが少なくとも前記しきい値量の時間の間に前記ＵＥから受信されていないときに、前記ＡＣＫに関して送信するというインジケーションを前記ＵＥに送信することと
を備える、方法。
【請求項７３】
ＮＡＣＫと、前記ＮＡＣＫまたは前記ＡＣＫと同時に送信されたスケジューリング要求（ＳＲ）とのうちの少なくとも１つのブラインド検出を行うこと
をさらに備える、請求項７２に記載の方法。
【請求項７４】
ワイヤレス通信のための装置であって、
確認応答（ＡＣＫ）がしきい値量の時間内にユーザ機器（ＵＥ）から受信されたかどうかを決定するための手段と、
前記ＡＣＫが少なくとも前記しきい値量の時間の間に前記ＵＥから受信されていないときに、前記ＡＣＫに関して送信するというインジケーションを前記ＵＥに送信するための手段と
を備える、装置。
【請求項７５】
ＮＡＣＫと、前記ＮＡＣＫまたは前記ＡＣＫと同時に送信されたスケジューリング要求（ＳＲ）とのうちの少なくとも１つのブラインド検出を行うための手段
をさらに備える、請求項７４に記載の装置。
【請求項７６】
ワイヤレス通信のための装置であって、
メモリと、
前記メモリに結合され、
確認応答（ＡＣＫ）がしきい値量の時間内にユーザ機器（ＵＥ）から受信されたかどうかを決定することと、
前記ＡＣＫが少なくとも前記しきい値量の時間の間に前記ＵＥから受信されていないときに、前記ＡＣＫに関して送信するというインジケーションを前記ＵＥに送信することと
を行うように構成された少なくとも１つのプロセッサと
を備える、装置。
【請求項７７】
前記少なくとも１つのプロセッサは、
ＮＡＣＫと、前記ＮＡＣＫまたは前記ＡＣＫと同時に送信されたスケジューリング要求（ＳＲ）とのうちの少なくとも１つのブラインド検出を行うように、
さらに構成される、請求項７６に記載の装置。
【請求項７８】
コンピュータ実行可能コードを記憶するコンピュータ可読媒体であって、
確認応答（ＡＣＫ）がしきい値量の時間内にユーザ機器（ＵＥ）から受信されたかどうかを決定することと、
前記ＡＣＫが少なくとも前記しきい値量の時間の間に前記ＵＥから受信されていないときに、前記ＡＣＫに関して送信するというインジケーションを前記ＵＥに送信することと
を行うためのコードを備える、コンピュータ可読媒体。
【請求項７９】
ＮＡＣＫと、前記ＮＡＣＫまたは前記ＡＣＫと同時に送信されたスケジューリング要求（ＳＲ）とのうちの少なくとも１つのブラインド検出を行うためのコード
をさらに備える、請求項７８に記載のコンピュータ可読媒体。
【発明の詳細な説明】
【関連出願の相互参照】
【０００１】
[0001]  本願は、「NARROW BAND ACK / NACK TRANSMISSIONS」と題され、２０１６年１月２０日に出願された米国仮特許出願第６２／２８１，０９９号と、「NARROW BAND ACK / NACK TRANSMISSIONS」と題され、２０１６年３月２４日に出願された米国仮特許出願第６２／３１３，０７１号と、「NARROW BAND ACK / NACK TRANSMISSIONS」と題され、２０１６年９月２１日に出願された米国特許出願第１５／２７２，２４６号の利益を主張し、それらは、その全体がここに参照によって明確に組み込まれる。
【技術分野】
【０００２】
[0002]  本開示は概して、通信システムに関し、より具体的には、ナローバンドモノのインターネット（ＮＢ−ＩＯＴ：a narrow band internet-of-things）確認応答（ＡＣＫ：acknowledgement）／否定応答（ＮＡＣＫ：negative acknowledgement）送信技法に関する。
【背景技術】
【０００３】
[0003]  ワイヤレス通信システム（Wireless communication system）は、電話通信、ビデオ、データ、メッセージング、およびブロードキャストのような様々な電気通信サービスを提供するために広く展開されている。典型的なワイヤレス通信システムは、利用可能なシステムリソース（system resource）を共有することによって複数のユーザとの通信をサポートすることが可能な多元接続技術を用いうる。そのような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]  これらの多元接続技術は、異なるワイヤレスデバイスが都市、国家、地域、さらには地球規模で通信することを可能にする共通プロトコルを提供するために、様々な電気通信規格において採用されてきた。実例的な電気通信規格は、ロングタームエボリューション（ＬＴＥ（登録商標））である。ＬＴＥは、第３世代パートナーシッププロジェクト（３ＧＰＰ（登録商標））によって公表されたユニバーサルモバイル電気通信システム（ＵＭＴＳ）のモバイル規格の拡張セットである。ＬＴＥは、改善されたスペクトル効率と、下げられたコストと、ダウンリンク上ではＯＦＤＭＡを、アップリンク上ではＳＣ−ＦＤＭＡを、そして多入力多出力（ＭＩＭＯ）アンテナ技術を使用する改善されたサービスとを通じてモバイルブロードバンドアクセスをサポートするように設計されている。しかしながら、モバイルブロードバンドアクセスに対する需要が増大し続けるにつれて、ＬＴＥ技術におけるさらなる改善の必要性が存在する。これらの改善はまた、他の多元接続技術およびこれらの技術を用いる電気通信規格に適用可能でありうる。
【０００５】
[0005]  例えば、ナローバンドモノのインターネット（ＮＢ−ＩＯＴ）では、ワイヤレス通信は、シングルトーン帯域幅（single tone bandwidth）に限定される。したがって、受信されたダウンリンク送信（downlink transmission）に応答してＡＣＫおよび／またはＮＡＣＫが要求される場合、ＡＣＫおよび／またはＮＡＣＫは、ＮＢ−ＩＯＴの限定されたシングルトーン帯域幅次元（dimension）中で多過ぎるリソースを占有（take up）し得る。
【発明の概要】
【０００６】
[0006]  以下は、１つまたは複数の態様の基本的な理解を提供するために、そのような態様の簡略化された概要を提示する。この概要は、全ての企図された態様の広範な概観ではなく、全ての態様の基幹的要素または重要な要素を識別することも、任意の態様または全ての態様の範囲を叙述することも意図されない。その唯一の目的は、後に提示されるより詳細な説明への前置きとして、簡略化された形式で１つまたは複数の態様のいくつかの概念を提示することである。
【０００７】
[0007]  ＮＢ−ＩＯＴでは、ワイヤレス通信は、単一のＲＢ帯域幅に限定されうる。したがって、受信されたダウンリンク送信に応答してＡＣＫおよび／またはＮＡＣＫが通信される場合、ＡＣＫおよび／またはＮＡＣＫは、ＮＢ−ＩＯＴの限定された単一のＲＢ帯域幅中で多過ぎるリソースを占有しうる。帯域幅（bandwidth）の限定に起因して、ＡＣＫおよび／またはＮＡＣＫを送信するための既存の技法を使用することは望ましくないことがありうる。
【０００８】
[0008]  したがって、本開示は、ＮＢ−ＩＯＴ通信システム中でＡＣＫおよび／またはＮＡＣＫを送信するための既存の技法に対して様々な修正を提供する。例えば、第１の態様では、本開示は、時間拡散（time-spreading）を使用するＡＣＫチャネル上でのＡＣＫ／ＮＡＣＫのシングルトーン送信を含む技法を提供する。第２の態様では、本開示は、ＡＣＫを送信することを少なくとも一時的に控える技法を提供する。この態様は、送信用の追加のデータが存在しないときにＡＣＫを伴わずにＮＡＣＫを送信することと、送信用の追加のデータが存在するときに物理アップリンク共有チャネル（ＰＵＳＣＨ：physical uplink shared channel）上でＡＣＫ／ＮＡＣＫを送信することとを含みうる。第３の態様では、本開示は、ＰＵＳＣＨ上でＡＣＫのグループ（group）を送信すること、またはＡＣＫ送信のために上位レイヤ（upper layer）に依存することを含む技法を提供する。
【０００９】
[0009]  本開示のある態様では、ワイヤレス通信のための方法、コンピュータ可読媒体（computer-readable medium）、および装置（apparatus）が提供される。装置は、ダウンリンク送信を受信し、時間拡散を使用してＡＣＫチャネル上でシングルトーン（single tone）ＡＣＫを送信する。送信は、７つのシンボル期間（symbol period）あたり３つの復調基準信号（ＤＭ−ＲＳ：demodulation reference signal）シンボルを含みうる。送信は、ＤＭ−ＲＳシンボルに対して３の拡散率（spreading factor）を含みうる。送信は、データシンボル（data symbol）に対して２または４の拡散率を含みうる。
【００１０】
[0010]  ある態様では、装置は、ＡＣＫを送信するというインジケーション（indication）が受信されるまで、ダウンリンク送信に関連付けられた少なくとも１つのＡＣＫを送信することを控えうる。装置は、ＡＣＫを送信するというインジケーションを発展型ノードＢ（ｅＮＢ：evolved node B）から受信し、その後、ｅＮＢにＡＣＫに関して送信しうる。ＡＣＫを送信するというインジケーションは、ワイヤレス通信がｅＮＢから成功裏に受信されたかどうかをＵＥが示すべき期間（period）を示しうる。
【００１１】
[0011]  本開示の別の態様では、ワイヤレス通信のための方法、コンピュータ可読媒体、および装置が提供される。装置は、ＡＣＫがしきい値量（threshold amount）の時間内にユーザ機器（ＵＥ：user equipment）から受信されたかどうかを決定し、ＡＣＫが少なくともしきい値量の時間の間にＵＥから受信されていないときに、装置は、ＡＣＫに関して送信するというインジケーションをＵＥに送信する。装置は、ＮＡＣＫと、ＮＡＣＫまたはＡＣＫと同時に送信されたスケジューリング要求（ＳＲ：scheduling request）とのうちの少なくとも１つのブラインド検出（blind detection）を実行しうる。
【００１２】
[0012]  前述の目的および関連する目的の達成のために、１つまたは複数の態様は、以下において十分に説明され、特許請求の範囲中で特に指摘される特徴を備える。以下の説明および付属の図面は、１つまたは複数の態様のある特定の例示的な特徴を詳細に記載する。これらの特徴は、しかしながら、様々な態様の原理が用いられうる様々な方法のうちのほんの一部を示しているに過ぎず、この説明は、全てのそのような態様およびそれらの同等物を含むことを意図される。
【図面の簡単な説明】
【００１３】
【図１】[0013]  ワイヤレス通信システムおよびアクセスネットワークの例を例示する図である。
【図２Ａ】[0014]  ＤＬフレーム構造のＬＴＥ例を例示する図である。
【図２Ｂ】ＤＬフレーム構造内のＤＬチャネルのＬＴＥ例を例示する図である。
【図２Ｃ】ＵＬフレーム構造のＬＴＥ例を例示する図である。
【図２Ｄ】ＵＬフレーム構造内のＵＬチャネルのＬＴＥ例を例示する図である。
【図３】[0015]  アクセスネットワーク中の発展型ノードＢ（ｅＮＢ）とユーザ機器（ＵＥ）との例を例示する図である。
【図４】[0016]  ＮＢ通信システムの図である。
【図５】[0017]  スロットベースの周波数ホッピング（slot based frequency hopping）を伴わない、ＡＣＫチャネルを使用するシングルトーンＡＣＫおよび／またはＮＡＣＫ送信５００を例示する図である。
【図６】[0018]  同じＲＢ中でのスロットベースの周波数ホッピングを伴う、ＡＣＫチャネルを使用するシングルトーンＡＣＫおよび／またはＮＡＣＫ送信６００を例示する図である。
【図７Ａ】[0019]  スロットベースの周波数ホッピングを使用することを伴わないシングルトーンＡＣＫおよび／またはＮＡＣＫ送信７１０を例示する図である。
【図７Ｂ】スロットベースの周波数ホッピングを使用することを伴わないシングルトーンＡＣＫおよび／またはＮＡＣＫ送信７２０を例示する図である。
【図８Ａ】[0020]  スロットベースの周波数ホッピングを伴う、ＡＣＫを伴わないシングルトーンＮＡＣＫ送信８１０を例示する図である。
【図８Ｂ】スロットベースの周波数ホッピングを伴う、ＡＣＫを伴わないシングルトーンＮＡＣＫ送信８２０を例示する図である。
【図９】[0021]  ワイヤレス通信の方法のフローチャートである。
【図１０】[0022]  ワイヤレス通信の方法のフローチャートである。
【図１１】[0023]  例証的な装置中の異なる手段／コンポーネント間でのデータフローを例示する概念的なデータフロー図である。
【図１２】[0024]  処理システムを用いる装置のためのハードウェアインプリメンテーション（hardware implementation）の例を例示する図である。
【図１３】[0025]  ワイヤレス通信の方法のフローチャートである。
【図１４】[0026]  例証的な装置中の異なる手段／コンポーネント間でのデータフローを例示する概念的なデータフロー図である。
【図１５】[0027]  処理システムを用いる装置のためのハードウェアインプリメンテーションの例を例示する図である。
【詳細な説明】
【００１４】
[0028]  添付された図面に関連して以下に記載される詳細な説明は、様々な構成の説明として意図され、ここに説明される概念が実施されうる唯一の構成を表すことを意図されてはいない。詳細な説明は、様々な概念の完全な理解を提供することを目的とした特定の詳細を含む。しかしながら、これらの概念がこれらの特定の詳細なしに実施されうることは当業者にとって明らかであろう。いくつかの事例では、よく知られている構造およびコンポーネントは、そのような概念を曖昧にすることを避けるためにブロック図形式で示される。
【００１５】
[0029]  ここで、電気通信システムのいくつかの態様が、様々な装置および方法を参照して提示されることになる。これらの装置および方法は、以下の詳細な説明中で説明され、様々なブロック、コンポーネント、回路、プロセス、アルゴリズム、等（一括して「要素（element）」と呼ばれる）によって添付の図面中に例示されることになる。これらの要素は、電子ハードウェア、コンピュータソフトウェア、またはそれらの任意の組み合わせを使用してインプリメントされうる。そのような要素がハードウェアとしてインプリメントされるか、またはソフトウェアとしてインプリメントされるかは、特定のアプリケーションとシステム全体上に課せられる設計制約とに依存する。
【００１６】
[0030]  例として、要素、または要素の任意の一部分、あるいは要素の任意の組み合わせは、１つまたは複数のプロセッサを含む「処理システム（processing system）」としてインプリメントされうる。プロセッサの例は、マイクロプロセッサ、マイクロコントローラ、グラフィックス処理ユニット（ＧＰＵ）、中央処理ユニット（ＣＰＵ）、アプリケーションプロセッサ、デジタルシグナルプロセッサ（ＤＳＰ）、縮小命令セットコンピューティング（ＲＩＳＣ）プロセッサ、システムオンチップ（ＳｏＣ）、ベースバンドプロセッサ、フィールドプログラマブルゲートアレイ（ＦＰＧＡ）、プログラマブルロジックデバイス（ＰＬＤ）、ステートマシン、ゲートロジック、ディスクリートハードウェア回路、およびこの開示全体を通じて説明される様々な機能を行うように構成された他の適したハードウェアを含む。処理システム中の１つまたは複数のプロセッサは、ソフトウェアを実行しうる。ソフトウェアは、ソフトウェアと呼ばれるか、ファームウェアと呼ばれるか、ミドルウェアと呼ばれるか、マイクロコードと呼ばれるか、ハードウェア記述言語と呼ばれるか、またはその他の名称で呼ばれるかにかかわらず、命令、命令セット、コード、コードセグメント、プログラムコード、プログラム、サブプログラム、ソフトウェアコンポーネント、アプリケーション、ソフトウェアアプリケーション、ソフトウェアパッケージ、ルーチン、サブルーチン、オブジェクト、実行ファイル、実行スレッド、プロシージャ、関数、等を意味するように広く解釈されるべきである。
【００１７】
[0031]  それ故に、１つまたは複数の実例的な実施形態では、説明される機能は、ハードウェア、ソフトウェア、またはそれらの任意の組み合わせにおいてインプリメントされうる。ソフトウェアにおいてインプリメントされる場合、機能は、コンピュータ可読媒体上で１つまたは複数の命令あるいはコードとして記憶もしくは符号化されうる。コンピュータ可読媒体は、コンピュータ記憶媒体を含む。記憶媒体は、コンピュータによってアクセスされることができる任意の利用可能な媒体でありうる。限定ではなく例として、そのようなコンピュータ可読媒体は、ランダムアクセスメモリ（ＲＡＭ）、読取専用メモリ（ＲＯＭ）、電気的消去可能プログラマブルＲＯＭ（ＥＥＰＲＯＭ（登録商標））、光ディスク記憶装置、磁気ディスク記憶装置、他の磁気記憶デバイス、前述されたタイプのコンピュータ可読媒体の組み合わせ、またはコンピュータによってアクセスされることができるデータ構造あるいは命令の形式でコンピュータ実行可能コードを記憶するために使用されることができる任意の他の媒体を備えることができる。
【００１８】
[0032]  図１は、ワイヤレス通信システムおよびアクセスネットワーク１００の例を例示する図である。（ワイヤレスワイドエリアネットワーク（ＷＷＡＮ）とも呼ばれる）ワイヤレス通信システムは、基地局１０２、ＵＥ１０４、および発展型パケットコア（ＥＰＣ）１６０を含む。基地局１０２は、マクロセル（高電力セルラ基地局）および／またはスモールセル（低電力セルラ基地局）を含みうる。マクロセルは、ｅＮＢを含む。スモールセルは、フェムトセル、ピコセル、およびマイクロセルを含む。
【００１９】
[0033]  （一括して発展型ユニバーサルモバイル電気通信システム（ＵＭＴＳ）地上無線アクセスネットワーク（Ｅ−ＵＴＲＡＮ）と呼ばれる）基地局１０２は、バックホールリンク（backhaul link）１３２（例えば、Ｓ１インターフェース）を通じてＥＰＣ１６０とインターフェースする。他の機能に加えて、基地局１０２は、以下の機能：ユーザデータの転送、無線チャネル暗号化および暗号解読、完全性保護、ヘッダ圧縮、モビリティ制御機能（例えば、ハンドオーバ、デュアルコネクティビティ）、セル間干渉協調、接続セットアップおよび解放、負荷バランシング、非アクセス層（ＮＡＳ）メッセージについての分配、ＮＡＳノード選択、同期、無線アクセスネットワーク（ＲＡＮ）共有、マルチメディアブロードキャストマルチキャストサービス（ＭＢＭＳ）、加入者および機器トレース、ＲＡＮ情報管理（ＲＩＭ）、ページング、測位、および警告メッセージの配信のうちの１つまたは複数を実行しうる。基地局１０２は、バックホールリンク１３４（例えば、Ｘ２インターフェース）を通して互いと直接的にまたは（例えば、ＥＰＣ１６０を通じて）間接的に通信しうる。バックホールリンク１３４は、ワイヤードまたはワイヤレスでありうる。
【００２０】
[0034]  基地局１０２は、ＵＥ１０４とワイヤレスで通信しうる。基地局１０２の各々は、それぞれの地理的カバレッジエリア（geographic coverage area）１１０に対して通信カバレッジを提供しうる。重複している地理的カバレッジエリア１１０が存在しうる。例えば、スモールセル１０２’は、１つまたは複数のマクロ基地局１０２のカバレッジエリア１１０と重複するカバレッジエリア１１０’を有しうる。スモールセルとマクロセルとの両方を含むネットワークは、異種ネットワークとして知られうる。異種ネットワークはまた、ホーム発展型ノードＢ（ｅＮＢ）（ＨｅＮＢ）を含み得、それは、クローズド加入者グループ（ＣＳＧ）として知られる制限されたグループにサービスを提供しうる。基地局１０２とＵＥ１０４との間の通信リンク１２０は、ＵＥ１０４から基地局１０２への（逆方向リンクとも呼ばれる）アップリンク（ＵＬ）送信および／または基地局１０２からＵＥ１０４への（順方向リンクとも呼ばれる）ダウンリンク（ＤＬ）送信を含みうる。通信リンク１２０は、空間多重化、ビームフォーミング（beamforming）、および／または送信ダイバーシティを含むＭＩＭＯアンテナ技術を使用しうる。通信リンクは、１つまたは複数のキャリアを通りうる。基地局１０２／ＵＥ１０４は、各方向への送信のために使用される最大で合計Ｙｘ ＭＨｚ（ｘ個のコンポーネントキャリア）のキャリアアグリゲーション（carrier aggregation）において割り振られるキャリアあたり最大Ｙ ＭＨｚ（例えば、５、１０、１５、２０ＭＨｚ）帯域幅のスペクトルを使用しうる。キャリアは、互いに隣接していることがありうるか、またはしていないことがありうる。キャリアの割り振りは、ＤＬおよびＵＬに対して非対称でありうる（例えば、ＵＬに対してよりも多くのまたは少ないキャリアがＤＬに対して割り振られうる）。コンポーネントキャリアは、１つのプライマリコンポーネントキャリアと１つまたは複数のセカンダリコンポーネントキャリアとを含みうる。プライマリコンポーネントキャリアは、プライマリセル（ＰＣｅｌｌ）と呼ばれ、セカンダリコンポーネントキャリアは、セカンダリセル（ＳＣｅｌｌ）と呼ばれうる。
【００２１】
[0035]  ワイヤレス通信システムはさらに、５ＧＨｚのアンライセンス周波数スペクトル（unlicensed frequency spectrum）中で通信リンク１５４を介してＷｉ−Ｆｉ局（ＳＴＡ）１５２と通信中のＷｉ−Ｆｉアクセスポイント（ＡＰ：access point）１５０を含みうる。アンライセンス周波数スペクトル中で通信するとき、ＳＴＡ１５２／ＡＰ１５０は、チャネルが利用可能かどうかを決定するために、通信するより前にクリアチャネル評価（ＣＣＡ：clear channel assessment）を実行しうる。
【００２２】
[0036]  スモールセル１０２’は、ライセンスおよび／またはアンライセンス周波数スペクトル中で動作しうる。アンライセンス周波数スペクトル中で動作するとき、スモールセル１０２’は、ＬＴＥを用い、Ｗｉ−Ｆｉ ＡＰ１５０によって使用されたのと同じ５ＧＨｚのアンライセンス周波数スペクトルを使用しうる。アンライセンス周波数スペクトル中でＬＴＥを用いるスモールセル１０２’は、アクセスネットワークに対するカバレッジを強化および／またはアクセスネットワークの容量を増大させうる。アンライセンススペクトル中のＬＴＥは、ＬＴＥ−ｕｎｌｉｃｅｎｓｅｄ（ＬＴＥ−Ｕ）、ライセンス支援アクセス（ＬＡＡ：licensed assisted access）、またはＭｕＬＴＥｆｉｒｅと呼ばれうる。
【００２３】
[0037]  ミリメートル波（ｍｍＷ）基地局１８０は、ｍｍＷ周波数および／またはニアｍｍＷ周波数（near mmW frequency）で動作しうる。極高周波（ＥＨＦ：extremely high frequency）は、電磁スペクトル中のＲＦの一部である。ＥＨＦは、３０ＧＨｚ〜３００ＧＨｚの範囲および１ミリメートルと１０ミリメートルとの間の波長を有する。その帯域中の電波（Radio waves）は、ミリメートル波（millimeter wave）と呼ばれうる。ニアｍｍＷは、１００ミリメートルの波長を有する３ＧＨｚの周波数まで下がって広がりうる。超高周波（ＳＨＦ：The super high frequency）帯域は、３ＧＨｚと３０ＧＨｚとの間に広がり、センチメートル波とも呼ばれうる。ｍｍＷ／ニアｍｍＷ無線周波数帯域を使用する通信は、極めて高いパスロス（path loss）および短い距離（short range）を有する。ｍｍＷ基地局１８０は、極めて高いパスロスおよび短い距離を補償するためにビームフォーミング（beamforming）１８４を利用しうる。
【００２４】
[0038]  ＥＰＣ１６０は、モビリティ管理エンティティ（ＭＭＥ：Mobility Management Entity）１６２、他のＭＭＥ１６４、サービングゲートウェイ１６６、マルチメディアブロードキャストマルチキャストサービス（ＭＢＭＳ）ゲートウェイ１６８、ブロードキャストマルチキャストサービスセンター（ＢＭ−ＳＣ）１７０、およびパケットデータネットワーク（ＰＤＮ）ゲートウェイ１７２を含みうる。ＭＭＥ１６２は、ホーム加入者サーバ（ＨＳＳ）１７４と通信中でありうる。ＭＭＥ１６２は、ＵＥ１０４とＥＰＣ１６０との間でのシグナリングを処理する制御ノードである。概して、ＭＭＥ１６２は、ベアラおよび接続管理を提供する。全てのユーザインターネットプロトコル（ＩＰ）パケットは、サービングゲートウェイ１６６を通じて転送され、それ自体は、ＰＤＮゲートウェイ１７２に接続される。ＰＤＮゲートウェイ１７２は、ＵＥ ＩＰアドレス割り振り、ならびに他の機能を提供する。ＰＤＮゲートウェイ１７２およびＢＭ−ＳＣ１７０は、ＩＰサービス１７６に接続される。ＩＰサービス１７６は、インターネット、イントラネット、ＩＰマルチメディアサブシステム（ＩＭＳ）、ＰＳストリーミングサービス（ＰＳＳ）、および／または他のＩＰサービスを含みうる。ＢＭ−ＳＣ１７０は、ＭＢＭＳユーザサービスプロビジョニングおよび配信のための機能を提供しうる。ＢＭ−ＳＣ１７０は、コンテンツプロバイダＭＢＭＳ送信のためのエントリポイントとしての役割を果たし、公衆陸上モバイルネットワーク（ＰＬＭＮ：public land mobile network）内でＭＢＭＳベアラサービスを認可および開始するために使用され、ＭＢＭＳ送信をスケジュールするために使用されうる。ＭＢＭＳゲートウェイ１６８は、特定のサービスをブロードキャストするマルチキャストブロードキャスト単一周波数ネットワーク（ＭＢＳＦＮ：Multicast Broadcast Single Frequency Network）エリアに属する基地局１０２にＭＢＭＳトラフィックを分配するために使用され、セッション管理（開始／停止）と、ｅＭＢＭＳに関連する課金情報（charging information）を収集することとを担いうる。
【００２５】
[0039]  基地局はまた、ノードＢ、発展型ノードＢ（ｅＮＢ）、アクセスポイント、ベーストランシーバ局、無線基地局、無線トランシーバ、トランシーバ機能、基本サービスセット（ＢＳＳ）、拡張サービスセット（ＥＳＳ）、または何らかの他の適した専門用語で呼ばれうる。基地局１０２は、ＵＥ１０４に対してＥＰＣ１６０へのアクセスポイントを提供する。ＵＥ１０４の例は、セルラ電話、スマートフォン、セッション開始プロトコル（ＳＩＰ）電話、ラップトップ、携帯情報端末（ＰＤＡ）、衛星ラジオ、全地球測位システム、マルチメディアデバイス、ビデオデバイス、デジタルオーディオプレーヤ（例えば、ＭＰ３プレーヤ）、カメラ、ゲームコンソール、タブレット、スマートデバイス、ウェアラブルデバイス、または任意の他の同様の機能的なデバイスを含む。ＵＥ１０４はまた、局、モバイル局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適した専門用語で呼ばれうる。
【００２６】
[0040]  図１を再び参照すると、ある特定の態様では、ＵＥ１０４は、例えば、シングルトーンを使用してｅＮＢ１０２にＮＢ ＡＣＫ／ＮＡＣＫ通信（１９８）を送信するように構成されうる。例えば、第１の態様では、ＵＥ１０４は、例えば、ＡＣＫチャネル上でのＡＣＫ／ＮＡＣＫのシングルトーン送信を行う。第２の態様では、ＵＥ１０４は、送信用の追加のデータが存在しないときにＡＣＫを伴わずにＮＡＣＫを送信し、送信用の追加のデータが存在するときにＰＵＳＣＨ上でＡＣＫ／ＮＡＣＫを送信しうる。第３の態様では、ＵＥ１０４は、ＰＵＳＣＨ上でＡＣＫのグループを送信しうるか、またはＡＣＫ送信のために上位レイヤに依存しうる。ＵＥは加えて、時として、少なくとも１つのＡＣＫ送信を送信することを控えることを決定しうる。
【００２７】
[0041]  図２Ａは、ＬＴＥにおけるＤＬフレーム構造の例を例示する図２００である。図２Ｂは、ＬＴＥにおけるＤＬフレーム構造内のチャネルの例を例示する図２３０である。図２Ｃは、ＬＴＥにおけるＵＬフレーム構造の例を例示する図２５０である。図２Ｄは、ＬＴＥにおけるＵＬフレーム構造内のチャネルの例を例示する図２８０である。他のワイヤレス通信技術は、異なるフレーム構造および／または異なるチャネルを有しうる。ＬＴＥでは、フレーム（１０ｍｓ）は、１０個の等しいサイズのサブフレーム（subframe）に分割されうる。各サブフレームは、２つの連続したタイムスロットを含みうる。２つのタイムスロットを表すためにリソースグリッドが使用されえ、各タイムスロットは、１つまたは複数の時間同時並行（time concurrent）のリソースブロック（ＲＢ：resource block）（物理ＲＢ（ＰＲＢ）とも呼ばれる）を含む。リソースグリッドは、複数のリソース要素（ＲＥ：resource element）に分割される。ＬＴＥでは、通常のサイクリックプレフィックス（normal cyclic prefix）の場合、ＲＢは、周波数ドメイン中に１２個の連続したサブキャリアを、時間ドメイン（time domain）中に７つの連続したシンボルを（ＤＬの場合、ＯＦＤＭシンボルを；ＵＬの場合、ＳＣ−ＦＤＭＡシンボルを）包含し、合計で８４個のＲＥとなる。拡張されたサイクリックプレフィックス（extended cyclic prefix）の場合、ＲＢは、周波数ドメイン中に１２個の連続したサブキャリアを、時間ドメイン中に６つの連続したシンボルを包含し、合計で７２個のＲＥとなる。各ＲＥによって搬送されるビットの数は、変調方式（modulation scheme）に依存する。
【００２８】
[0042]  図２Ａ中に例示されているように、ＲＥのうちのいくつかは、ＵＥにおけるチャネル推定（channel estimation）のためのＤＬ基準（パイロット）信号（ＤＬ−ＲＳ）を搬送する。ＤＬ−ＲＳは、（共通ＲＳと呼ばれることもある）セル固有基準信号（ＣＲＳ：cell-specific reference signal）、ＵＥ固有基準信号（ＵＥ−ＲＳ：UE-specific reference signal）、およびチャネル状態情報基準信号（ＣＳＩ−ＲＳ：channel state information reference signal）を含みうる。図２Ａは、（それぞれ、Ｒ0、Ｒ1、Ｒ2、およびＲ3と示されている）アンテナポート０、１、２、および３に対するＣＲＳ、（Ｒ5と示されている）アンテナポート５に対するＵＥ−ＲＳ、および（Ｒと示されている）アンテナポート１５に対するＣＳＩ−ＲＳを例示している。図２Ｂは、フレームのＤＬサブフレーム内の様々なチャネルの例を例示している。物理制御フォーマットインジケータチャネル（ＰＣＦＩＣＨ：physical control format indicator channel）は、スロット０のシンボル０内にあり、物理ダウンリンク制御チャネル（ＰＤＣＣＨ：physical downlink control channel）が１つのシンボルを占有するか、２つのシンボルを占有するか、または３つのシンボルを占有するかを示す制御フォーマットインジケータ（ＣＦＩ：control format indicator）を搬送する（図２Ｂは、３つのシンボルを占有するＰＤＣＣＨを例示している）。ＰＤＣＣＨは、１つまたは複数の制御チャネル要素（ＣＣＥ：control channel element）内のダウンリンク制御情報（ＤＣＩ：downlink control information）を搬送し、各ＣＣＥは、９つのＲＥグループ（ＲＥＧ）を含み、各ＲＥＧは、ＯＦＤＭシンボル中に４つの連続したＲＥを含む。ＵＥは、これもまたＤＣＩを搬送するＵＥ固有拡張ＰＤＣＣＨ（ｅＰＤＣＣＨ）で構成されうる。ｅＰＤＣＣＨは、２つ、４つ、または８つのＲＢペアを有しうる（図２Ｂは、２つのＲＢペアを示しており、各サブセットは、１つのＲＢペアを含む）。物理ハイブリッド自動再送要求（ＡＲＱ）（ＨＡＲＱ）インジケータチャネル（ＰＨＩＣＨ）もまた、スロット０のシンボル０内にあり、物理アップリンク共有チャネル（ＰＵＳＣＨ）に基づいてＨＡＲＱ確認応答（ＡＣＫ）／否定ＡＣＫ（ＮＡＣＫ）フィードバックを示すＨＡＲＱインジケータ（ＨＩ）を搬送する。プライマリ同期チャネル（ＰＳＣＨ：primary synchronization channel）は、フレームのサブフレーム０および５内のスロット０のシンボル６内にあり、サブフレームタイミングおよび物理レイヤアイデンティティを決定するためにＵＥによって使用されるプライマリ同期信号（ＰＳＳ：primary synchronization signal）を搬送する。セカンダリ同期チャネル（ＳＳＣＨ：secondary synchronization channel）は、フレームのサブフレーム０および５内のスロット０のシンボル５内にあり、物理レイヤセルアイデンティティグループ番号を決定するためにＵＥによって使用されるセカンダリ同期信号（ＳＳＳ：secondary synchronization signal）を搬送する。物理レイヤアイデンティティおよび物理レイヤセルアイデンティティグループ番号に基づいて、ＵＥは、物理セル識別子（ＰＣＩ：physical cell identifier）を決定することができる。ＰＣＩに基づいて、ＵＥは、前述されたＤＬ−ＲＳのロケーションを決定することができる。物理ブロードキャストチャネル（ＰＢＣＨ：physical broadcast channel）は、フレームのサブフレーム０のスロット１のシンボル０、１、２、３内にあり、マスタ情報ブロック（ＭＩＢ：master information block）を搬送する。ＭＩＢは、ＤＬシステム帯域幅中のＲＢの数、ＰＨＩＣＨ構成、およびシステムフレーム番号（ＳＦＮ：system frame number）を提供する。物理ダウンリンク共有チャネル（ＰＤＳＣＨ：physical downlink shared channel）は、ページングメッセージ、システム情報ブロック（ＳＩＢ：system information block）のようなＰＢＣＨを通じて送信されないブロードキャストシステム情報、およびユーザデータを搬送する。
【００２９】
[0043]  図２Ｃ中に例示されているように、ＲＥのうちのいくつかは、ｅＮＢにおけるチャネル推定のための復調基準信号（ＤＭ−ＲＳ）を搬送する。ＵＥは加えて、サブフレームの最後のシンボル中でサウンディング基準信号（ＳＲＳ：sounding reference signal）を送信しうる。ＳＲＳは、コーム構造（comb structure）を有し、ＵＥは、コーム（comb）のうちの１つ上でＳＲＳを送信しうる。ＳＲＳは、ＵＬ上での周波数依存スケジューリングを可能にすべく、チャネル品質推定（channel quality estimation）のためにｅＮＢによって使用されうる。図２Ｄは、フレームのＵＬサブフレーム内の様々なチャネルの例を例示している。物理ランダムアクセスチャネル（ＰＲＡＣＨ：physical random access channel）は、ＰＲＡＣＨ構成に基づいてフレーム内の１つまたは複数のサブフレーム内にありうる。ＰＲＡＣＨは、サブフレーム内に６つの連続したＲＢペアを含みうる。ＰＲＡＣＨは、ＵＥが初期システムアクセスを実行し、ＵＬ同期を達成することを可能にする。物理アップリンク制御チャネル（ＰＵＣＣＨ：physical uplink control channel）は、ＵＬシステム帯域幅の両端上に置かれうる。ＰＵＣＣＨは、ＨＡＲＱ ＡＣＫ／ＮＡＣＫフィードバック、ランクインジケータ（ＲＩ：rank indicator）、プリコーディング行列インジケータ（ＰＭＩ：precoding matrix indicator）、チャネル品質インジケータ（ＣＱＩ：channel quality indicator）、およびスケジューリング要求のようなアップリンク制御情報（ＵＣＩ：uplink control information）を搬送する。ＰＵＳＣＨは、データを搬送し、加えて、バッファ状態報告（ＢＳＲ）、電力ヘッドルーム報告（ＰＨＲ：power headroom report）、および／またはＵＣＩを搬送するために使用されうる。
【００３０】
[0044]  図３は、アクセスネットワーク中でＵＥ３５０と通信中のｅＮＢ３１０のブロック図である。ＤＬでは、ＥＰＣ１６０からのＩＰパケットは、コントローラ／プロセッサ３７５に提供されうる。コントローラ／プロセッサ３７５は、レイヤ３およびレイヤ２の機能をインプリメントする。レイヤ３は、無線リソース制御（ＲＲＣ）レイヤを含み、レイヤ２は、パケットデータコンバージェンスプロトコル（ＰＤＣＰ）レイヤ、無線リンク制御（ＲＬＣ）レイヤ、および媒体アクセス制御（ＭＡＣ）レイヤを含む。コントローラ／プロセッサ３７５は、システム情報（例えば、ＭＩＢ、ＳＩＢ）のブロードキャスティング、ＲＲＣ接続制御（例えば、ＲＲＣ接続ページング、ＲＲＣ接続確立、ＲＲＣ接続修正、およびＲＲＣ接続解放）、無線アクセス技術（ＲＡＴ）間モビリティ、およびＵＥ測定報告のための測定構成に関連付けられたＲＲＣレイヤの機能と、ヘッダ圧縮／解凍、セキュリティ（暗号化、暗号解読、完全性保護、完全性検証）、およびハンドオーバサポート機能に関連付けられたＰＤＣＰレイヤの機能と、上位レイヤパケットデータユニット（ＰＤＵ）の転送、ＡＲＱを通じた誤り訂正、ＲＬＣサービスデータユニット（ＳＤＵ）の連結、セグメント化、およびリアセンブリ、ＲＬＣデータＰＤＵの再セグメント化、およびＲＬＣデータＰＤＵの再順序付けに関連付けられたＲＬＣレイヤの機能と、論理チャネルとトランスポートチャネルとの間でのマッピング、トランスポートブロック（ＴＢ：transport block）上へのＭＡＣ ＳＤＵの多重化、ＴＢからのＭＡＣ ＳＤＵの逆多重化、スケジューリング情報報告、ＨＡＲＱを通じた誤り訂正、優先度処理（priority handling）、および論理チャネル優先順位付けに関連付けられたＭＡＣレイヤの機能とを提供する。
【００３１】
[0045]  送信（ＴＸ）プロセッサ３１６および受信（ＲＸ）プロセッサ３７０は、様々な信号処理機能に関連付けられたレイヤ１の機能をインプリメントする。物理（ＰＨＹ）レイヤを含むレイヤ１は、トランスポートチャネル上での誤り検出、トランスポートチャネルの前方誤り訂正（ＦＥＣ）コーディング／復号、インタリービング、レートマッチング、物理チャネル上へのマッピング、物理チャネルの変調／復調、およびＭＩＭＯアンテナ処理を含みうる。ＴＸプロセッサ３１６は、様々な変調方式（例えば、２位相偏移変調（ＢＰＳＫ）、４位相偏移変調（ＱＰＳＫ）、Ｍ位相偏移変調（Ｍ−ＰＳＫ）、Ｍ値直交振幅変調（Ｍ−ＱＡＭ））に基づいて信号コンステレーション（signal constellation）にマッピングすることを処理する。コーディングおよび変調されたシンボルはその後、並列ストリームに分けられうる。各ストリームはその後、時間ドメインＯＦＤＭシンボルストリームを搬送する物理チャネルを生成するために、ＯＦＤＭサブキャリアにマッピングされ、時間および／または周波数ドメイン中で基準信号（例えば、パイロット）と多重化され、その後、逆高速フーリエ変換（ＩＦＦＴ）を使用してともに組み合わされうる。ＯＦＤＭストリームは、複数の空間ストリームを生成するために空間的にプリコーディングされる。チャネル推定器３７４からのチャネル推定値は、コーディングおよび変調方式を決定するために、ならびに空間処理のために使用されうる。チャネル推定値は、ＵＥ３５０によって送信されたチャネル条件フィードバックおよび／または基準信号から導出されうる。各空間ストリームはその後、別個の送信機３１８ＴＸを介して異なるアンテナ３２０に提供されうる。各送信機３１８ＴＸは、送信するためのそれぞれの空間ストリームでＲＦキャリアを変調しうる。
【００３２】
[0046]  ＵＥ３５０において、各受信機３５４ＲＸは、そのそれぞれのアンテナ３５２を通じて信号を受信する。各受信機３５４ＲＸは、ＲＦキャリア上に変調された情報を復元し、受信（ＲＸ）プロセッサ３５６にその情報を提供する。ＴＸプロセッサ３６８およびＲＸプロセッサ３５６は、様々な信号処理機能に関連付けられたレイヤ１の機能をインプリメントする。ＲＸプロセッサ３５６は、ＵＥ３５０に宛てられた任意の空間ストリームを復元するために、情報に対して空間処理（spatial processing）を実行しうる。複数の空間ストリームがＵＥ３５０に宛てられる場合、それらは、ＲＸプロセッサ３５６によって単一のＯＦＤＭシンボルストリームへと組み合わされうる。ＲＸプロセッサ３５６はその後、高速フーリエ変換（ＦＦＴ）を使用して、時間ドメインから周波数ドメインにＯＦＤＭシンボルストリームを変換する。周波数ドメイン信号は、ＯＦＤＭ信号のサブキャリアごとに別個のＯＦＤＭシンボルストリームを備える。各サブキャリア上のシンボル、および基準信号は、ｅＮＢ３１０によって送信された最も可能性の高い信号コンステレーションポイントを決定することによって復元および復調される。これらの軟判定（soft decision）は、チャネル推定器３５８によって計算されたチャネル推定値に基づきうる。軟判定はその後、物理チャネル上でｅＮＢ３１０によって当初送信されたデータおよび制御信号を復元するために復号およびデインターリーブされる。データおよび制御信号はその後、コントローラ／プロセッサ３５９に提供され、それは、レイヤ３およびレイヤ２の機能をインプリメントする。
【００３３】
[0047]  コントローラ／プロセッサ３５９は、プログラムコードおよびデータを記憶するメモリ３６０に関連付けられることができる。メモリ３６０は、コンピュータ可読媒体と呼ばれうる。ＵＬでは、コントローラ／プロセッサ３５９は、ＥＰＣ１６０からのＩＰパケットを復元するために、トランスポートチャネルと論理チャネルとの間での逆多重化、パケットのリアセンブリ、暗号解読、ヘッダ解凍、および制御信号処理を提供する。コントローラ／プロセッサ３５９はまた、ＨＡＲＱ動作をサポートするために、ＡＣＫおよび／またはＮＡＣＫプロトコルを使用する誤り検出（error detection）を担う。
【００３４】
[0048]  ｅＮＢ３１０によるＤＬ送信に関連して説明された機能と同様に、コントローラ／プロセッサ３５９は、システム情報（例えば、ＭＩＢ、ＳＩＢ）獲得、ＲＲＣ接続、および測定報告に関連付けられたＲＲＣレイヤの機能と、ヘッダ圧縮／解凍、およびセキュリティ（暗号化、暗号解読、完全性保護、完全性検証）に関連付けられたＰＤＣＰレイヤの機能と、上位レイヤＰＤＵの転送、ＡＲＱを通じた誤り訂正、ＲＬＣ ＳＤＵの連結、セグメント化、およびリアセンブリ、ＲＬＣデータＰＤＵの再セグメント化、およびＲＬＣデータＰＤＵの再順序付けに関連付けられたＲＬＣレイヤの機能と、論理チャネルとトランスポートチャネルとの間でのマッピング、ＴＢ上へのＭＡＣ  ＳＤＵの多重化、ＴＢからのＭＡＣ  ＳＤＵの逆多重化、スケジューリング情報報告、ＨＡＲＱを通じた誤り訂正、優先度処理、および論理チャネル優先順位付けに関連付けられたＭＡＣレイヤの機能とを提供する。
【００３５】
[0049]  ｅＮＢ３１０によって送信されたフィードバックまたは基準信号からチャネル推定器３５８によって導出されたチャネル推定値は、適切なコーディングおよび変調方式を選択することと、空間処理を容易にすることとを行うために、ＴＸプロセッサ３６８によって使用されうる。ＴＸプロセッサ３６８によって生成された空間ストリームは、別個の送信機３５４ＴＸを介して異なるアンテナ３５２に提供されうる。各送信機３５４ＴＸは、送信用のそれぞれの空間ストリームを用いてＲＦキャリアを変調しうる。
【００３６】
[0050]  ＵＬ送信は、ＵＥ３５０における受信機機能に関連して説明されたのと同様の方法でｅＮＢ３１０において処理される。各受信機３１８ＲＸは、そのそれぞれのアンテナ３２０を通じて信号を受信する。各受信機３１８ＲＸは、ＲＦキャリア上に変調された情報を復元し、ＲＸプロセッサ３７０にその情報を提供する。
【００３７】
[0051]  コントローラ／プロセッサ３７５は、プログラムコードおよびデータを記憶するメモリ３７６に関連付けられることができる。メモリ３７６は、コンピュータ可読媒体と呼ばれうる。ＵＬでは、コントローラ／プロセッサ３７５は、ＵＥ３５０からのＩＰパケットを復元するために、トランスポートチャネルと論理チャネルとの間での逆多重化、パケットのリアセンブリ、暗号解読、ヘッダ解凍、制御信号処理を提供する。コントローラ／プロセッサ３７５からのＩＰパケットは、ＥＰＣ１６０に提供されうる。コントローラ／プロセッサ３７５はまた、ＨＡＲＱ動作をサポートするために、ＡＣＫおよび／またはＮＡＣＫプロトコルを使用する誤り検出を担う。
【００３８】
[0052]  図４は、ナローバンド（ＮＢ）−ＩＯＴ通信システムのようなＮＢ通信システム４００の図である。ＮＢ通信システム４００は、セルラ領域４０２中に置かれたＵＥ４０６と通信中のｅＮＢ４０４を含みうる。例えば、ｅＮＢ４０４は、シングルトーンのような限定された帯域幅を使用して、ＵＥ４０６にＮＢダウンリンク送信４１０を送信しうる。ＮＢダウンリンク送信４１０に応答して、ＵＥ４０６は、ＡＣＫおよび／またはＮＡＣＫを含むＮＢアップリンク送信４２０を送信しうる。例えば、ダウンリンク送信４１０および／またはＡＣＫおよび／またはＮＡＣＫ４２０のうちの１つまたは複数は、例えば、シングルトーンを使用するＮＢワイヤレス通信でありうる。
【００３９】
[0053]  ＮＢワイヤレス通信は、ナローバンド（narrow band）の限定された周波数次元（frequency dimension）に起因して特有の課題を伴う。例えば、ＮＢ ＩＯＴは、例えば、２００Ｈｚのシステム帯域幅の単一のリソースブロックに限定されうる。このナローバンド通信（narrow band communication）は、専用スペクトル中での展開のために「スタンドアロン（standalone）」で、またはＬＴＥキャリアのガードバンド内の未使用のリソースブロック中で、あるいは通常のＬＴＥキャリア内のリソースブロックを利用して「インバンド（in-band）」で、展開されうる。複数のユーザ、例えば、ＵＥは、ナローバンドを利用しうる。ＵＥのうちのいくつかのみが特定の時間においてアクティブ（active）でありうるが、ＮＢ通信は、そのようなマルチユーザ容量（multi-user capacity）をサポートすべきである。
【００４０】
[0054]  加えて、ＮＢは、異なるカバレッジ拡張（ＣＥ：Coverage Enhancement）レベルを必要とする環境中のデバイスを考慮することによって（by accounting for）、深いカバレッジを提供することの必要がありうる。例えば、何らかのデバイスは、２０ｄＢものＣＥを必要としえ、それは、より大きなアップリンクＴＴＩバンドリングをもたらし、時間リソースをさらに限定する。
【００４１】
[0055]  ＮＢ−ＩＯＴ通信は、さらに、例えば、約３５ｋｍもの大きなセル半径を伴い得る。このことから、その通信は、２００μｓのような長い遅延（long delay）を伴うことことがあり得、それは、長いサイクリックプレフィックス（ＣＰ：Cyclic Prefix）長を伴い得る。
【００４２】
[0056]  有効であるために、ＮＢ通信は、１％未満の誤警報レート（false alarm rate）と約１％未満のミス検出レート（miss detection rate）とを提供すべきである。送信機は、送信機と対応する受信機との間でのタイミングオフセット推定値（timing offset estimate）を推定する必要がありうる。そのようなタイミングオフセットが通常のサイクリックプレフィックス（ＮＣＰ）内、例えば、＜約４．７μｓ、にあることが好まれうる。
【００４３】
[0057]  ワイドバンド通信は、サイクリックシフトを伴う周波数符号分割多重化（ＣＤＭ：code division multiplexing）を含みうる。そのような通信は、直交カバーコード（orthogonal cover code）を伴うタイミングドメインＣＤＭを含みうる。
【００４４】
[0058]  対照的に、ＮＢ通信では、ＵＥは、単一のＲＢのような限定された帯域幅を使用して通信しており、それは、限定されたリソースを使用してＡＣＫ／ＮＡＣＫを送信することにおいて特有の課題（unique challenge）をもたらす。
【００４５】
[0059]  一態様では、ＡＣＫおよび／またはＮＡＣＫ４２０は、時間拡散を伴うシングルトーン送信を使用してＡＣＫチャネル上で送信されうる。そのチャネルは、ＡＣＫチャネルとして説明されるが、ある特定の態様では、ＮＡＣＫもまた、ＡＣＫチャネルを使用して送信されうる。
【００４６】
[0060]  図５は、スロットベースの周波数ホッピングを伴わない、ＡＣＫチャネルを使用するシングルトーンＡＣＫおよび／またはＮＡＣＫ送信５００を例示する図である。図５中に例示されている各スロット（slot）は、各スロットの中央の３つのＲＳシンボル（例えば、ＤＭ−ＲＳシンボル）と、３つのＲＳシンボルの両端上に置かれた２つのデータシンボルとを有する、７つのシンボルを含みうる。これは、ＬＴＥ通信中で使用されるＡＣＫフォーマット１と同じまたは同様でありうる。ＤＭ−ＲＳシンボルが、本開示中で上記に論述されたＲＳシンボルのいずれの言及とも交換可能に使用されうることが理解されるべきである。
【００４７】
[0061]  図５中に例示されている例は、シンボルの各々がシングルトーンを占有するシングルトーンＡＣＫおよび／またはＮＡＣＫ送信を含む。複数のユーザは、より良いユーザ容量のために、異なる直交カバーコードで、複数のシンボルを横切って符号分割多重化されうる。例えば、各スロット中のＲＳシンボルが、離散フーリエ変換（ＤＦＴ：Discrete Fourier Transform）拡散コードを使用しうる一方で、各スロット中の各データシンボルは、異なる拡散コードを使用しうる。（例えば、異なる拡散コードを使用する）カバーホッピングは、干渉を抑制するために異なるサブフレームにわたって使用されうる（図５中では１つのサブフレームのみが図示されている）。例えば、拡散は、直交カバーコードを使用して実行されうる。直交カバーコードは、
【００４８】
【数１】
2019508938.tif 000003
【００４９】
に従って擬似ランダムに選択されうる。ここで、
【００５０】
【数２】
2019508938.tif 000004
【００５１】
は、セル固有サイクリックシフト（cell specific cyclic shift）であり、ｍｏｄ３は、ＲＳ拡散のために使用されうる可能な拡散コードの数である。
【００５２】
[0062]  図５は、２つのスロットの各々が同じトーンインデックス（tone index）を使用して送信されるシングルトーン送信を例示している。言い換えれば、スロットベースの周波数ホッピングは存在しないことがありうる。スロットベースの周波数ホッピングが存在しないことから、より多くのユーザ多重化が、２つのスロットにわたってサブフレームあたり３または６の拡散率が存在することにより生じうる。例えば、送信５００は、ＤＭ−ＲＳシンボルに対して３の拡散率を、およびデータシンボルに対して２または４のいずれかの拡散率を含みうる。加えて、さらなる拡散が、複数のサブフレームにわたって、例えば、サブフレームごとに、使用されうる。このことから、送信５００では、７つのシンボル期間あたり３つのＤＭ−ＲＳシンボル期間が含まれうる。その送信は、ＤＭ−ＲＳシンボル５０２ａ−ｇに対する３の拡散率を例示している。その送信は、サブフレームの端上にデータシンボル５０４ａ、５０４ｂおよび５０４ｃ、５０４ｄに対する２の拡散率を、およびＤＭ−ＲＳシンボル間のサブフレームの中央にデータシンボル５０６ａ−ｄに対する４の拡散率を含む。終端において２つのデータシンボル、例えば、５０４ｃ、５０４ｄを有する第１のサブフレームは、次の連続したサブフレームの始端における２つのデータフレームに隣接して位置付けられうる。このことから、このパターンは、３つのＤＭ−ＲＳシンボルの各セット間に４つのデータシンボルをもたらすであろう。
【００５３】
[0063]  周波数ホッピングは、異なるサブフレーム間で使用されうるが、しかしながら、単一の周波数は、サブフレーム内で使用されうる。図５中に例示されている例中にはスロットベースの周波数ホッピングが存在しないことから、サブフレームにわたって位相の不連続性が存在するときにタイミングオフセット推定は実行されないことがありうる。例えば、これは、ＵＥ４０６とｅＮＢ４０４との間でタイミングドリフト（timing drift）を引き起こしうる。タイミングドリフトを修正するために、ｅＮＢ４０４は、タイミング差（timing difference）４４０を測定し、ＵＥ４０６にタイミング調整４１０を発行しうる。
【００５４】
[0064]  図６は、同じＲＢ中でのスロットベースの周波数ホッピングを伴う、ＡＣＫチャネルを使用するシングルトーンＡＣＫおよび／またはＮＡＣＫ送信６００を例示する図である。図６中に例示されている各スロットは、各スロットの中央に置かれた３つのＲＳシンボルと、３つのＲＳシンボルの両端上に置かれた２つのデータシンボルとを有する、７つのシンボルを含みうる。例えば、第１のスロットは、ＲＳシンボル６０２ａ−ｃを含み、第２のスロットは、ＲＳシンボル６０２ｅ−ｇを含む。第１のスロットは、データシンボル６０４ａ、６０４ｂ、６０４ｃおよび６０４ｄを含み、第２のスロットは、データシンボル６０４ｅ、６０４ｆ、６０４ｇ、および６０４ｈを含む。これは、ＬＴＥ通信中のＡＣＫフォーマット１と同じまたは同様でありうる。
【００５５】
[0065]  図６中に例示されている例では、シンボルの各々は、シングルトーンを占有し、サブフレーム中の２つのスロットの各々は、異なるトーンインデックス（tone index）を使用して送信される。異なるトーンインデックスを使用して２つのスロットの各々を送信することによって、周波数ダイバーシティの増大が、２つのスロットの干渉を平均化することによって達成されうる。加えて、ｅＮＢ４０４は、２つのスロットの２つのトーンインデックス間の位相オフセットを推定することによって、タイミングオフセット推定値を決定４４０しうる。しかしながら、異なるトーンインデックスを使用して２つのスロットの各々を送信することによって、ユーザ多重化能力が低下されうる。
【００５６】
[0066]  例えば、３の拡散率（spreading factor）が図６中に例示されている例中で使用される場合、（例えば、ｅＮＢ４０４による）ディスプレッド（dispreading）後には、逆拡散（despreading）後にスロットあたり１つのＲＳしか存在しないであろう。その結果として、ｅＮＢ４０４は、潜在的な周波数誤りを推定および補償することができないことがありうる。代替として、１の拡散率が図６中に例示されている例中で使用される場合、ｅＮＢ４０４は、ユーザ多重化のためにクロスサブフレーム拡散（cross subframe spreading）に依存しなければならないことがありうる。加えて、１の拡散率が使用される場合、ｅＮＢ４０６は、任意の周波数誤りを補償するために、スロットあたり複数のＲＳシンボルで時間追跡（time tracking）を行うことが可能でありうる。
【００５７】
[0067]  図４を再び参照すると、ＡＣＫおよび／またはＮＡＣＫ４２０は、例えば、図７Ａおよび７Ｂに関して以下に論述されるように、修正された構造を使用するスロットベースの周波数ホッピングを伴わずにシングルトーン送信を使用してＡＣＫチャネル上で送信されうる。
【００５８】
[0068]  図７Ａおよび７Ｂは、スロットベースの周波数ホッピングを使用することを伴わない、ＡＣＫチャネルを使用するシングルトーンＡＣＫおよび／またはＮＡＣＫ送信７１０、７２０を例示する図である。例えば、図７Ａおよび７Ｂ中に例示されている各スロットは、７つのシンボルを含み、サブフレームは、７つのＲＳシンボルと７つのデータシンボルとを含みうる。
【００５９】
[0069]  図７Ａ中に例示されている例では、あるスロットは、サブフレームに対して全ての７つのＲＳシンボルを含み、もう一方のスロットは、サブフレームに対して全ての７つのデータシンボルを含みうる。サブフレームあたり等しい数のＲＳシンボルとデータシンボルとが存在することから（例えば、ＲＳシンボルとデータシンボルとはバランスが取れている）、誤り性能（error performance）は改善されうる。加えて、ユーザ多重化容量（user multiplexing capacity）は、６から（例えば、図５を参照）７に改善されることができる。ＲＳシンボルとデータシンボルとの配置は、図７Ａ中に例示されているように連続でありうる。しかしながら、配置は、連続である必要はなく、データシンボルに対するＲＳシンボルの配置は、任意（arbitrary）でありうる。
【００６０】
[0070]  １つのそのような例では、図７Ｂ中に例示されているように、ＲＳシンボルとデータシンボルとは、サブフレーム内でインターレース（interlace）されうる。例えば、あるスロットが、４つのデータシンボルと３つのＲＳシンボルとを含みうる一方で、もう一方のスロットは、３つのデータシンボルと４つのＲＳシンボルとを含みうる。ＲＳパターンは、ｅＮＢ４０４によってチャネル推定の正確性を増大させるために選択されうる。
【００６１】
[0071]  図４を再び参照すると、時として、ＵＥ４０６は、ｅＮＢ４０４に送信するためのユーザデータとＡＣＫおよび／またはＮＡＣＫとを有しうる。一態様では、ＡＣＫおよび／またはＮＡＣＫ送信４２０は、第１のチャネル、例えば、ＡＣＫチャネルというよりはむしろＰＵＳＣＨ上でユーザデータとともに送信されうる。ｅＮＢ４０４に送信されるべきユーザデータが存在しないとき、ＵＥ４０６は、図８Ａおよび８Ｂに関して以下に論述されるように、スロットベースの周波数ホッピングを伴うシングルトーン送信を使用して第２のチャネル上で、例えば、ＡＣＫチャネル上でＡＣＫを伴わずにＮＡＣＫ４２０を送信しうる。
【００６２】
[0072]  図８Ａおよび８Ｂは、スロットベースの周波数ホッピングを伴う、ＡＣＫを伴わないシングルトーンＮＡＣＫ送信８１０、８２０を例示する図である。一態様では、ＮＡＣＫは、オン／オフ構成（on/off configuration）を使用して送信されうる。加えて、オン／オフ構成は、エネルギー検出を提供するパイロットを伴わないシーケンス（カバー）に基づきうる。例えば、ＮＡＣＫがＡＣＫを伴わないで送信されるとき、２つのスロット中の全てのシンボルが知られていることから（例えば、「１」の固定値）、（例えば、図５、６、７Ａ、および７Ｂ中にあるように）データシンボルとＲＳシンボルとの間を区別する必要はないことがありうる。このことから、各スロット中の全てのシンボルは、異なるシーケンス（different sequence）を使用する異なるユーザを伴う知られているシーケンスでありうる。
【００６３】
[0073]  図８Ａ中に例示されている例では、各スロットは、７つのシンボルを含み、サブフレームは、１４個のＲＳシンボルを含み、データシンボルは含まないことがありうる。このことから、各スロットは、７つのＲＳシンボルを包含し、データシンボルは包含しない。言い換えれば、ＲＳシンボルに対してサブフレームあたり７の拡散率が存在する。図８Ａ中に例示されている例中でスロットベースの周波数ホッピングを使用することによって、時間追跡が、ｅＮＢ４０４によって実行されうる。加えて、７人のユーザからのＲＳシンボルが多重化され、ｅＮＢ４０４は、拡散後にスロットあたり１つのシンボルで時間追跡を実行しうる。代替として、ＮＡＣＫ送信８１０は、スロットベースの周波数ホッピングを含まないことがありうる（図８Ａおよび８Ｂ中に例示されていない）。そのケースでは、１４人のユーザが多重化されうる。
【００６４】
[0074]  図８Ｂ中に例示されている例では、各スロットは、拡散率３を有する各スロットの最初の３つのシンボルと、４の拡散率を有する各スロットの最後の４つのシンボルとを有する７つのシンボルを含みうる。ｅＮＢ４０４は、拡散後にスロットあたり２つのシンボルで時間追跡を実行することができ、それはさらに、周波数誤り訂正（frequency error correction）を可能にしうる。
【００６５】
[0075]  このことから、ＵＥは、少なくとも１つのＡＣＫを送信することを控えうる。ＵＥは、それがＡＣＫを送信するというインジケーションをｅＮＢから受信するまで、ＡＣＫを送信することを控えうる。図４を再び参照すると、ｅＮＢ４０４が所定の時間期間中にＵＥ４０６からＡＣＫおよび／またはＮＡＣＫ４２０を受信していない場合、ｅＮＢ４０４は、ダウンリンク送信４１０に関連する全てのＨＡＲＱフィードバックがＡＣＫでありうるか、またはＵＥ４０４がＡＣＫおよび／またはＮＡＣＫを送るために利用可能であるリソースを示すアップリンク許可を受信していないことを想定しうる。後者のケースでは、ｅＮＢ４０４は、ＵＥ４０６がＰＵＳＣＨ中でＡＣＫ４２０を送信するための新しい許可（grant）４１０を送信しうる。一態様では、許可は、ＵＥ４０６がどのＡＣＫを送信すべきかを決定しうるために、どの時点においてｅＮＢ４０４が最後にＡＣＫおよび／またはＮＡＣＫを受信したかを示しうる。
【００６６】
[0076]  引き続き図４を参照すると、ＵＥ４０６は、ＵＥ４０４がダウンリンク送信４１０に応答してＡＣＫおよび／またはＮＡＣＫ４２０とともに送信するためのユーザデータを有するときに、ｅＮＢ４０４にスケジューリング要求（ＳＲ）４２０を送りうる。このシナリオでは、ＵＥ４０６からの送信は、２つの可能性：ＮＡＣＫのみ、あるいはＳＲ＋ＮＡＣＫまたはＡＣＫ、を含みうる。ＵＥ４０６は、２つの異なる可能性の各々を送信するために異なるリソースを使用し、ｅＮＢ４０４は、ＵＥ４０６からの送信中に含まれる情報を決定するためにブラインド検出（blind detection）を実行しうる。
【００６７】
[0077]  第１の例では、同じＡＣＫチャネル構造（channel structure）が、上記に論述された可能性の両方のために使用され、したがって、３つの異なるリソースが、ＮＡＣＫのみ、ＳＲ＋ＮＡＣＫまたはＳＲ＋ＡＣＫを送信するために使用されうる。例えば、３つの異なる可能性を送信するために使用される異なるリソースは、異なるトーンまたは異なるシーケンス／カバーコードのいずれかを含みうる。
【００６８】
[0078]  第２の例では、異なるＡＣＫチャネル構造が、上記に論述された２つの可能性のために使用され、シングルトーンが、ＮＡＣＫのみまたはＳＲ＋ＮＡＣＫ／ＡＣＫを送信するために使用されうる。一態様では、ＮＡＣＫのみ用のシングルトーンは、図５および６中に例示されているように、周波数ベースのホッピングを伴うまたは伴わないシーケンスベースの構造を含みうる。別の態様では、ＳＲ＋ＮＡＣＫまたはＳＲ＋ＡＣＫ用のシングルトーンは、図７Ａおよび７Ｂ中に例示されているように、周波数ベースのホッピングを伴うまたは伴わない、パイロット信号を伴う修正されたチャネル構造を含みうる。
【００６９】
[0079]  第３の例では、統合された構造（unified structure）が、上記に論述された２つの可能性を送信するために使用され、シングルトーンが、ＮＡＣＫのみおよびＳＲ＋ＮＡＣＫ／ＡＣＫの各々を送信するために使用されうる。一態様では、ＮＡＣＫのみおよびＳＲ＋ＮＡＣＫ／ＡＣＫ用のシングルトーンは、図８Ｂに関して上記に論述されたように、３および４の拡散率を含みうる。
【００７０】
[0080]  図４を再び参照すると、最大でダウンリンク送信４１０の９０％までが、ＵＥ４０６によって正確に受信および／または復号されうる。このことから、ＵＥ４０６は、ダウンリンク送信（１つ以上）４１０に応答してｅＮＢ４０４にＡＣＫを送信することをスキップしうる。代替として、ＡＣＫは、ＰＵＳＣＨ上で送信されうる。しかしながら、ＡＣＫは、ほんの数ビット（例えば、１または２ビット）を含み得、ＰＵＳＣＨは、ほんの数ビットの情報を送信するようには最適化されていない。代わりに、ＰＵＳＣＨは、少なくとも１６ビットの情報を送信するように最適化されうる。
【００７１】
[0081]  したがって、ＵＥ４０６が送信するための１つまたは複数のＡＣＫを有するが、送信するためのデータを有さないとき、ＵＥ４０６は、データもまた送信される必要があるか、またはグループ化されたＡＣＫ中に少なくとも所定の数のビット（例えば、１６ビット）が存在するかのいずれかであることをＵＥ４０６が決定４３０するまで、複数のＡＣＫをともにグループ化４３０（例えば、バッファ）しうる。代替として、ＵＥ４０６は、ｅＮＢ４０４へのＡＣＫの送信を行うことを控え、代わりにＡＣＫのために上位レイヤに依存しうる。
【００７２】
[0082]  一態様では、ＵＥ４０６は、ＡＣＫチャネルをＰＵＳＣＨと多重化しうる。第１のオプションでは、ＡＣＫチャネルとＰＵＳＣＨとの両方は、サブフレーム内で周波数ホッピングしうる。第２のオプションでは、ＡＣＫチャネルとＰＵＳＣＨとの両方は連続的であり、サブフレーム内に周波数ホッピングを含まないことがありうる。第３のオプションでは、ＡＣＫチャネルは、ＲＢのエッジトーン（edge tone）間で周波数ホッピングし、ＰＵＳＣＨは、ＲＢの中央の残りのトーンを占有しうる。
【００７３】
[0083]  ｅＮＢ４０４は、ＮＢアップリンク通信４２０のバンドルサイズ（bundle size）にしたがってタイミング調整タイマ（timing adjustment timer）を調整（adjust）４４０する必要がありうる。例えば、ワイドバンド通信の場合、タイミング調整（ＴＡ：timing adjustment）のための最大タイマは、約１０秒でありうる。しかしながら、ＮＢ通信の場合、バンドルサイズは小さく、ほんの数秒に対応しうる。したがって、ＴＡのためのタイマは、そのようなＮＢ通信のために増大されうる。例えば、ＴＡタイマは、通信のためのバンドルサイズに基づいて増大されうる、すなわち、ＴＡコマンドは、少なくとも送信のバンドリングが終了した後で発行される。
【００７４】
[0084]  図９は、ワイヤレス通信の方法のフローチャート９００である。方法は、ＵＥ（例えば、ＵＥ１０４、３５０、４０６、１４５０、装置１１０２／１１０２’）によって実行されうる。図中のオプションの態様は、破線を使用して例示されている。
【００７５】
[0085]  ９０２において、ＵＥは、例えば、ｅＮＢ１０２、３１０、４０４、１１５０、装置１４０２／１４０２’のようなｅＮＢからダウンリンク送信を受信する。ＵＥとｅＮＢとの間でのワイヤレス通信は、ナローバンドワイヤレス通信（narrow band wireless communication）を備えうる。
【００７６】
[0086]  ９０４において、ＵＥは、ダウンリンク送信を受信することに応答して、ＡＣＫチャネル上でＡＣＫまたはＮＡＣＫのうちの１つを送信する。ＡＣＫまたはＮＡＣＫ送信は、時間拡散を使用してＡＣＫチャネル上で送信されるシングルトーン送信でありうる。
【００７７】
[0087]  ＡＣＫ／ＮＡＣＫ送信は、７つのシンボル期間あたり３つの復調基準信号（ＤＭ−ＲＳ）シンボルを含み得、その例は、図５および６中に例示されている。送信は、図５中にＲＳ５０２ａ−ｆについて、および図６中にＲＳ６０２ａ−ｆについて例示されているように、ＤＭ−ＲＳシンボルに対して３の拡散率を含みうる。送信は、例えば、データシンボル５０４ａ−ｄについて例示されているようにデータシンボルに対して２の、または、例えば、データシンボル５０６ａ−ｄについて例示されているようにデータシンボルに対して４の、拡散率を含みうる。
【００７８】
[0088]  複数のユーザは、例えば、図５に関連して説明されたように、時間ドメイン中で複数のシンボルを横切る（cross）異なる直交カバーコードで符号分割多重化されうる。９１２において、ＡＣＫまたはＮＡＣＫの送信は、複数のサブフレームにわたってカバーホッピングを使用して送信されうる。直交カバーコードは、ＲＳおよびデータシンボルの拡散を行うために選択され、直交カバーコードは、セル固有サイクリックシフトおよび拡散率の数（a number of spreading factors）の関数（function）でありうる。このことから、図５および６中に例示されているもの以外の、例えば、図７Ａ、７Ｂ中に例示されているような構造またはパターンが使用されうる。一例では、送信は、ＲＳおよびデータシンボルに対して１の拡散率を含みうる。別の例では、ＡＣＫまたはＮＡＣＫは、サブフレーム中に等しい数のデータシンボルとＲＳシンボルとを有するシングルトーン内で９１４において送信されうる。ＲＳシンボルに対するデータシンボルの配置は、サブフレーム中のシングルトーン内で任意でありうる。例えば、図７Ａは、ＲＳシンボルが連続であり、データシンボルが連続であることを例示している。図７Ｂは、ＲＢシンボルがデータシンボルとインターレースされた異なる例を例示している。データシンボルとＲＳシンボルとは、スロットベースの周波数ホッピングを伴って、また伴わずに、のいずれかで、そのようなパターンを使用して送信されうる。
【００７９】
[0089]  加えて、ＡＣＫまたはＮＡＣＫは、９０６において、限定されたスロットベースの周波数ホッピングを使用して送信されうる。例えば、送信は、例えば、図５の例中に例示されているように、９０８において、スロットベースの周波数ホッピングを伴わずに送信されうる。
【００８０】
[0090]  代替として、送信は、図６の例中に例示されているように、９１０において、リソースブロック内でスロットベースの周波数ホッピングを使用して送信されうる。このことから、スロットベースの周波数ホッピングは、リソースブロック内に限定されうる。
【００８１】
[0091]  ９１６において、ＵＥは、ＡＣＫチャネルをＰＵＳＣＨと多重化しうる。ＡＣＫチャネルとＰＵＳＣＨとは、サブフレーム内で周波数ホッピングしうる。異なる例では、ＡＣＫチャネルとＰＵＳＣＨとは、サブフレーム内で連続的でありうる。別の例では、ＡＣＫチャネルは、エッジトーン間でホッピングし、ＰＵＳＣＨは、エッジトーン間で残りのトーン、例えば、ＡＣＫチャネル間の中央のトーン、を占有しうる。または、ＰＵＳＣＨは、エッジトーン間でホッピングし、ＡＣＫチャネルは、エッジトーン間で残りのトーンを占有しうる。
【００８２】
[0092]  ９１８において、ＵＥは、ＰＵＳＣＨと多重化されたＡＣＫチャネルのバンドリングサイズ（bundling size）に基づいてタイミング調整タイマを調整しうる。例えば、ＮＢ−ＩＯＴでは、ＳＮＲは、単一のサブフレームで送信を成功裏に受信するには低過ぎることがありうる。このことから、情報は、繰り返しまたはクロスサブフレームコーディング（repetition or cross-subframe coding）のいずれかを通じて複数のサブフレームで送信されうる。そのような送信は、バンドリングされた送信と呼ばれ、その持続時間は、バンドリングサイズと呼ばれる。ＬＴＥの場合、タイミング調整のための最大タイマは、１０秒である。ＮＢ−ＩＯＴの場合、バンドルサイズが秒オーダでありうることから、この値を、例えば、バンドルサイズより大きく増大させることは役に立ちうる。
【００８３】
[0093]  図１０は、ワイヤレス通信の方法のフローチャート１０００である。方法は、ＵＥ（例えば、ＵＥ１０４、３５０、４０６、１４５０、装置１１０２／１１０２’）によって実行されうる。図中のオプションの態様は、破線を使用して例示されている。図１０中に例示されている態様はまた、図９中の９０４におけるＡＣＫ／ＮＡＣＫの送信の一部としてインプリメントされうる。
【００８４】
[0094]  １００２において、ＵＥは、例えば、ｅＮＢ１０２、３１０、４０４、１１５０、装置１３０２／１３０２’のようなｅＮＢからダウンリンク送信を受信する。ワイヤレス通信は、ナローバンドワイヤレス通信を備えうる。
【００８５】
[0095]  １００４において、ＵＥは、例えば、ダウンリンク送信が成功裏に受信されないときに、ダウンリンク送信に関連付けられたＮＡＣＫを送信する。ＮＡＣＫは、１００６において、オン／オフ構成を使用して送信されうる。ＡＣＫは、第１のチャネルを使用して送信され、ＮＡＣＫは、第２のチャネルを使用して送信されうる。
【００８６】
[0096]  ダウンリンク送信が成功裏に受信されると、ＵＥは通常、ＡＣＫを送信するであろう。１００８において、ＵＥは、ダウンリンク送信に関連付けられたＡＣＫを送信することを控えうる。これは、いくつかの方法のうちの任意のもので成されうる。
【００８７】
[0097]  １０１０において例示されている一例では、ＳＲがＮＡＣＫと同時に送信されることになるか、またはＡＣＫと同時に送信されることになるかに基づいてＮＡＣＫまたはＡＣＫの送信用のリソースを選択しうる。例えば、１０１２において、ＳＲを伴わずにＮＡＣＫを送信するためのリソースが選択されうる。１０１４において、ＡＣＫ／ＮＡＣＫを伴ってＳＲを送信するための異なるリソースが選択されうる。
【００８８】
[0098]  例えば、選択されたリソースがそこから選択されるリソースのグループは、同じチャネル構造と、異なるトーン、異なるシーケンス、または異なるカバーコードのうちの少なくとも１つとを備えうるもので、異なるトーン、異なるシーケンス、または異なるカバーコードのうちの少なくとも１つを有するリソースは、ＳＲがＮＡＣＫと同時に送信されることになるか、またはＡＣＫと同時に送信されることになるかに基づいて選択される。
【００８９】
[0099]  別の例では、選択されたリソースがそこから選択されるリソースのグループは、異なるチャネル構造を備えうる。リソースは、送信がＮＡＣＫのためのものであるか、あるいはＮＡＣＫまたはＡＣＫとともにＳＲのためのものであるかに依存して選択されうる。
【００９０】
[00100]  リソースの各々は、シングルトーンを備えうる。
【００９１】
[00101]  別の例として、選択されたリソースがそこから選択されるリソースのグループは、統合されたチャネル構造（unified channel structure）を備えうるもので、リソースの各々は、シングルトーンを備える。ＮＡＣＫがＳＲを伴わずに送信されるべきであるとき、ＮＡＣＫは、最大で４の拡散率を使用して、例えば、３または４の拡散率を使用して、送信されうる。ＳＲがＡＣＫまたはＮＡＣＫのいずれかを伴って送信されるべきであるとき、３の拡散率がＲＳに対して使用され、４の拡散率がＡＣＫまたはＮＡＣＫに対して使用されうる。図８Ｂは、そのようなリソースの例を例示している。
【００９２】
[00102]  別の例では、ＡＣＫを送信することを控えると、ＵＥは、１０１６において、ＵＥがＰＵＳＣＨ上での送信用のデータを有しているかどうかを決定しうる。ＵＥがＰＵＳＣＨ上での送信用のデータを有しているとき、ＵＥは、１０１８において、ＰＵＳＣＨ上でＡＣＫおよび第２のＮＡＣＫのうちの１つを送信しうる。複数のＡＣＫは、１０２０において、送信のためにともにグループ化されうる。
【００９３】
[00103]  ＵＥがＰＵＳＣＨ上での送信用のデータを有していないとき、ＵＥは、１０２２において、ＡＣＫを送信することを控えうる。このことから、ＵＥは、ＵＥがＰＵＳＣＨ上での送信用の他のデータを有していないときに、ＡＣＫを送ることを先延ばしにしうるか、またはＡＣＫを送信することをスキップしうる。
【００９４】
[00104]  別の例では、ＵＥは、それが送信用のデータを有しているかどうかを決定することなしに、１０２２において、ＰＵＳＣＨ上でＡＣＫを送信しうる。この例では、ＵＥは、ＡＣＫに対してＡＣＫチャネルを使用することを避けるために、ＰＵＳＣＨのみを使用してＡＣＫを送信しうる。ＡＣＫは、ほんの数ビット、例えば、１または２ビット、を備えうる。ＵＥは、ＰＵＳＣＨ上での送信のために複数のＡＣＫをともにグループ化しうる。
【００９５】
[00105]  別の例では、ＵＥは、１０２４において、物理レイヤ（physical layer）ＡＣＫを送信することなしに、上位レイヤ送信（upper layer transmission）を介してＡＣＫを通信しうる。
【００９６】
[00106]  別の例では、ＵＥは、１０２６において、それがＡＣＫを送信するというインジケーションをｅＮＢから受信するまで、ＡＣＫを送信することを控えうる。その後、１０２８において、ＵＥは、応答し、１０２８において、ＰＵＳＣＨ上でｅＮＢにＡＣＫに関して送信しうる。ＡＣＫを送信するというインジケーションは、ワイヤレス通信がｅＮＢから成功裏に受信されたかどうかをＵＥが示すべき期間を示しうる。例えば、ＵＥは、それがある特定のポイントまでダウンリンク送信を受信したことを示しうる。
【００９７】
[00107]  図１１は、例証的な装置１１０２中の異なる手段／コンポーネント間でのデータフローを例示する概念的なデータフロー図１１００である。装置は、ＵＥでありうる。装置は、例えば、ｅＮＢ１１５０からダウンリンク送信を受信する受信コンポーネント１１０４と、ダウンリンク送信に応答してＮＡＣＫ／ＡＣＫを、ならびにＳＲおよびデータを送信する送信コンポーネント１１０６とを含む。装置は、ＮＡＣＫ／ＡＣＫが送信されるべき方法を決定するＡＣＫ／ＮＡＣＫコンポーネント１１０８を含む。例えば、ＮＡＣＫ／ＡＣＫコンポーネント１１０８は、図９および１０に関連して詳細に説明された方法のうちの任意のもので、例えば、時間拡散を使用してＡＣＫチャネル上でシングルトーンとして、ＮＡＣＫまたはＡＣＫを送信することを決定しうる。装置はまた、９１６に関連して説明されたように、ＡＣＫチャネルをＰＵＳＣＨと多重化する（multiplex）ＰＵＳＣＨ多重化コンポーネント（PUSCH multiplexing component）１１１０を含みうる。装置はまた、ＰＵＳＣＨと多重化されたＡＣＫチャネルのバンドリングサイズに基づいてタイミング調整タイマを調整するタイミング調整コンポーネント１１１２を含みうる。
【００９８】
[00108]  装置は、図９および１０の前述されたフローチャート中のアルゴリズムのブロックの各々を行い、ならびに図５−８に関連して説明された、追加のコンポーネントを含みうる。そのため、図９および１０の前述されたフローチャート中の各ブロックは、コンポーネントによって行われ、装置は、それらのコンポーネントのうちの１つまたは複数を含みうる。コンポーネントは、記載されたプロセス／アルゴリズムを実行するように特に構成された１つまたは複数のハードウェアコンポーネントでありうるか、記載されたプロセス／アルゴリズムを行うように構成されたプロセッサによってインプリメントされうるか、プロセッサによるインプリメンテーションのためにコンピュータ可読媒体内に記憶されうるか、またはそれらの何らかの組み合わせでありうる。
【００９９】
[00109]  図１２は、処理システム１２１４を用いる装置１１０２’のためのハードウェアインプリメンテーションの例を例示する図１２００である。処理システム１２１４は、概してバス１２２４によって表される、バスアーキテクチャを用いてインプリメントされうる。バス１２２４は、処理システム１２１４の特定のアプリケーションおよび全体的な設計制約に依存して、任意の数の相互接続バスおよびブリッジを含みうる。バス１２２４は、プロセッサ１２０４、コンポーネント１１０４、１１０６、１１０８、１１１０、１１１２、およびコンピュータ可読媒体／メモリ１２０６によって表される、１つまたは複数のプロセッサおよび／またはハードウェアコンポーネントを含む様々な回路をともにリンクする。バス１２２４はまた、タイミングソース、周辺機器、電圧レギュレータ、および電力管理回路のような様々な他の回路をリンクしうるが、それらは、当該技術において良く知られており、したがって、これ以上は説明されない。
【０１００】
[00110]  処理システム１２１４は、トランシーバ１２１０に結合されうる。トランシーバ１２１０は、１つまたは複数のアンテナ１２２０に結合される。トランシーバ１２１０は、送信媒体を通して様々な他の装置と通信するための手段を提供する。トランシーバ１２１０は、１つまたは複数のアンテナ１２２０から信号を受信し、受信された信号から情報を抽出し、抽出された情報を処理システム１２１４、具体的には受信コンポーネント１１０４に提供する。加えて、トランシーバ１２１０は、処理システム１２１４、具体的には送信コンポーネント１１０６から情報を受信し、受信された情報に基づいて、１つまたは複数のアンテナ１２２０に適用されることになる信号を生成する。処理システム１２１４は、コンピュータ可読媒体／メモリ１２０６に結合されたプロセッサ１２０４を含む。プロセッサ１２０４は、コンピュータ可読媒体／メモリ１２０６上に記憶されたソフトウェアの実行を含む一般の処理を担う。ソフトウェアは、プロセッサ１２０４によって実行されたとき、処理システム１２１４に、任意の特定の装置に関して上記に説明された様々な機能を実行させる。コンピュータ可読媒体／メモリ１２０６はまた、ソフトウェアを実行するときにプロセッサ１２０４によって操作されるデータを記憶するために使用されうる。処理システム１２１４はさらに、コンポーネント１１０４、１１０６、１１０８、１１１０、１１１２のうちの少なくとも１つを含む。コンポーネントは、プロセッサ１２０４中で作動中であり、コンピュータ可読媒体／メモリ１２０６中に存在する／記憶されたソフトウェアコンポーネント、プロセッサ１２０４に結合された１つまたは複数のハードウェアコンポーネント、またはそれらの何らかの組み合わせでありうる。処理システム１２１４は、ＵＥ３５０のコンポーネントであり、メモリ３６０および／またはＴＸプロセッサ３６８、ＲＸプロセッサ３５６、およびコントローラ／プロセッサ３５９のうちの少なくとも１つを含みうる。
【０１０１】
[00111]  一構成では、ワイヤレス通信のための装置１１０２／１１０２’は、ダウンリンク送信を受信するための手段のための手段を含む。別の構成では、ワイヤレス通信のための装置１１０２／１１０２’は、時間拡散を使用してＡＣＫチャネル上でシングルトーンとしてＡＣＫを送信するための手段を含む。一態様では、送信は、限定されたスロットベースの周波数ホッピングを使用して送信されるシングルトーン送信でありうる。別の態様では、ワイヤレス通信は、ナローバンドワイヤレス通信を備えうる。さらなる態様では、複数のユーザは、時間ドメイン中で複数のシンボルを横切る異なる直交カバーコードで符号分割多重化されうる。また別の態様では、送信は、複数のサブフレームにわたってカバーホッピングを使用して送信されうる。さらにまた、一態様では、送信は、スロットベースの周波数ホッピングを伴わずに送信されうる。さらに別の態様では、送信は、リソースブロック内でスロットベースの周波数ホッピングを使用して送信されうる。またさらに、送信は、７つのシンボル期間あたり３つの復調基準信号（ＤＭ−ＲＳ）シンボルを含みうる。さらなる態様では、送信は、ＤＭ−ＲＳシンボルに対して３の拡散率を含みうる。さらにまた、送信は、データシンボルに対して２または４の拡散率を含みうる。さらに別の態様では、直交カバーコードは、ＲＳおよびデータシンボルの拡散を行うために選択され得て、セル固有サイクリックシフトおよび拡散率の数の関数（function）である。別の態様では、送信は、ＲＳおよびデータシンボルに対して１の拡散率を含みうる。ある態様では、ＡＣＫまたはＮＡＣＫは、サブフレーム中に等しい数のデータシンボルとＲＳシンボルとを有するシングルトーン内で送信されうる。さらにまた、ある態様では、ＲＳシンボルに対するデータシンボルの配置は、サブフレーム中のシングルトーン内で任意でありうる。別の態様では、データシンボルとＲＳとは、スロットベースの周波数ホッピングを伴わずに送信されうる。別の構成では、ワイヤレス通信のための装置１１０２／１１０２’は、ダウンリンク送信を受信するための手段を含む。さらなる構成では、ワイヤレス通信のための装置１１０２／１１０２’は、ダウンリンク送信に関連付けられたＮＡＣＫを送信するための手段を含む。さらに別の構成では、ワイヤレス通信のための装置１１０２／１１０２’は、ダウンリンク送信に関連付けられたＡＣＫを送信することを控えるための手段を含む。ある態様では、ＮＡＣＫは、オン／オフ構成を使用して送信されうる。さらに別の構成では、ワイヤレス通信のための装置１１０２／１１０２’は、ＳＲがＮＡＣＫと同時に送信されることになるか、またはＡＣＫと同時に送信されることになるかに基づいてＮＡＣＫまたはＡＣＫの送信用のリソースを選択するための手段を含む。さらなる態様では、選択されたリソースがそこから選択されるリソースのグループは、同じチャネル構造と、異なるトーン、異なるシーケンス、または異なるカバーコードのうちの少なくとも１つとを含みえ、異なるトーン、異なるシーケンス、または異なるカバーコードのうちの少なくとも１つを有するリソースは、ＳＲがＮＡＣＫと同時に送信されることになるか、またはＡＣＫ���同時に送信されることになるかに基づいて選択される。またさらに、ある態様では、選択されたリソースがそこから選択されるリソースのグループは、異なるチャネル構造を含み、リソースは、送信がＮＡＣＫのためのものであるか、あるいはＮＡＣＫまたはＡＣＫとともにＳＲのためのものであるかに依存して選択されうる。さらなる態様では、リソースの各々は、シングルトーンを含みうる。さらに別の態様では、選択されたリソースがそこから選択されるリソースのグループは、統合されたチャネル構造を含みえ、リソースの各々は、シングルトーンを備える。さらなる態様では、ＳＲを伴わずに送信されるＮＡＣＫについては、ＮＡＣＫは、３および４の拡散率を使用して送信されうる。別の態様では、ＡＣＫまたはＮＡＣＫのいずれかを伴って送信されるＳＲについては、３の拡散率がＲＳに対して使用され、４の拡散率がＡＣＫまたはＮＡＣＫに対して使用されうる。別の構成では、ワイヤレス通信のための装置１１０２／１１０２’は、ＵＥがＰＵＳＣＨ上での送信用のデータを有するかどうかを決定するための手段を含む。さらなる構成では、ワイヤレス通信のための装置１１０２／１１０２’は、ＵＥがＰＵＳＣＨ上での送信用のデータを有するときに、ＰＵＳＣＨ上でＡＣＫおよび第２のＮＡＣＫのうちの１つを送信するための手段を含む。またさらなる構成では、ワイヤレス通信のための装置１１０２／１１０２’は、ＵＥがＰＵＳＣＨ上での送信用のデータを有するかどうかを決定するための手段を含む。別の構成では、ワイヤレス通信のための装置１１０２／１１０２’は、ＵＥが送信用のデータを有していないときに、ＡＣＫを送信することを控えるための手段を含む。また別の構成では、ワイヤレス通信のための装置１１０２／１１０２’は、ＰＵＳＣＨ上でＡＣＫを送信するための手段を含む。一態様では、ワイヤレス通信のための装置１１０２／１１０２’は、ＡＣＫが多くとも２ビットを備えるときに、ＰＵＳＣＨ上での送信のために複数のＡＣＫをともにグループ化するための手段を含む。またさらに、一構成では、ワイヤレス通信のための装置１１０２／１１０２’は、物理レイヤＡＣＫを送信することなしに、上位レイヤ送信を介してＡＣＫを通信するための手段を含む。さらなる構成では、ワイヤレス通信のための装置１１０２／１１０２’は、ＡＣＫを送信するというインジケーションをｅＮＢから受信するための手段を含む。さらに別の構成では、ワイヤレス通信のための装置１１０２／１１０２’は、ＰＵＳＣＨ上でｅＮＢにＡＣＫに関して送信するための手段を含む。ある態様では、ＡＣＫを送信するというインジケーションは、ワイヤレス通信がｅＮＢから成功裏に受信されたかどうかをＵＥが示すべき期間を示す。別の構成では、ワイヤレス通信のための装置１１０２／１１０２’は、ＡＣＫチャネルをＰＵＳＣＨと多重化するための手段を含む。ある態様では、ＡＣＫチャネルとＰＵＳＣＨとは、サブフレーム内で周波数においてホッピングしうる。別の態様では、ＡＣＫチャネルとＰＵＳＣＨとは、サブフレーム内で周波数において連続的でありうる。別の態様では、ＡＣＫチャネルは、エッジトーン間でホッピングし、ＰＵＳＣＨは、エッジトーン間で残りのトー���を占有しうるか、またはその逆でありうる。別の構成では、ワイヤレス通信のための装置１１０２／１１０２’は、ＰＵＳＣＨと多重化されたＡＣＫチャネルのバンドリングサイズに基づいてタイミング調整タイマを調整するための手段を含む。前述された手段は、前述された手段によって記載された機能を行うように構成された装置１１０２’の処理システム１２１４および／または装置１１０２の前述されたコンポーネントのうちの１つまたは複数でありうる。上記に説明されたように、処理システム１２１４は、ＴＸプロセッサ３６８、ＲＸプロセッサ３５６、およびコントローラ／プロセッサ３５９を含みうる。そのため、一構成では、前述された手段は、前述された手段によって記載された機能を行うように構成されたＴＸプロセッサ３６８、ＲＸプロセッサ３５６、およびコントローラ／プロセッサ３５９でありうる。
【０１０２】
[00112]  図１３は、ワイヤレス通信の方法のフローチャート１３００である。方法は、ｅＮＢ（例えば、ｅＮＢ１０４、３１０、４０４、１１５０、装置１４０２／１４０２’）によって実行されうる。１３０２において、ｅＮＢは、ＵＥにダウンリンク通信を送信しうる。ＵＥは、例えば、ＵＥ１０６、３５０、４０６、１４５０、または装置１１０２、１１０２’でありうる。１３０４において、ｅＮＢは、ＡＣＫがＵＥ、例えば、ｅＮＢがそれに対してダウンリンク送信を送信したＵＥ、から受信されてからの時間の量を決定しうる。例えば、図９および１０に関連して説明されたように、時として、ＵＥは、それがＤＬ送信を成功裏に受信したときでさえ、ＡＣＫを送ることを控えうる。したがって、１３０４および１３０６におけるこの決定は、ＤＬ通信を受信していないＵＥに送信し続けることを避けるために、ｅＮＢがＵＥからのＡＣＫ間の時間の量をモニタすることを可能にする。
【０１０３】
[00113]  １３０６において、ｅＮＢは、ＡＣＫがしきい値量の時間内にＵＥから受信されたかどうかを決定する。ＡＣＫが少なくともしきい値量の時間の間にＵＥから受信されていないときに、ｅＮＢは、１３０８において、ＡＣＫに関して送信するというインジケーションをＵＥに送信する。このインジケーションは、いつＵＥがｅＮＢから最後にダウンリンク送信を成功裏に受信したかをｅＮＢが決定しうるように、ＰＵＳＣＨ上でＡＣＫに関して送信することによってＵＥが応答することをトリガしうる。時として、ＵＥは、それがダウンリンク送信を成功裏に受信したときでさえ、ＡＣＫを送信することを控えうる。したがって、インジケーションは、ＵＥがダウンリンク送信を成功裏に受信したかどうか、またはＵＥがダウンリンク送信を受信していないかどうかをｅＮＢがチェックすることを可能にする。
【０１０４】
[00114]  １３１０において、ｅＮＢは、ＮＡＣＫと、ＮＡＣＫまたはＡＣＫと同時に送信されたＳＲとのうちの少なくとも１つのブラインド検出を実行しうる。
【０１０５】
[00115]  図１４は、例証的な装置１４０２中の異なる手段／コンポーネント間でのデータフローを例示する概念的なデータフロー図１４００である。装置は、ｅＮＢでありうる。装置は、ＵＥ１４５０にダウンリンク通信を送信する送信コンポーネント１４０６と、ダウンリンク通信に応答してＵＥ１４５０からＡＣＫ／ＮＡＣＫを受信する受信コンポーネント１４０４とを含む。装置１４００はまた、ＡＣＫがしきい値量の時間内にＵＥ１４５０から受信されたかどうかを決定し、ＡＣＫが少なくともしきい値量の時間の間にＵＥから受信されていないときに、ＡＣＫに関して送信するという、ＵＥに送信されるインジケーションを有するＡＣＫ決定コンポーネントを含む。装置はまた、ＮＡＣＫと、ＮＡＣＫまたはＡＣＫと同時に送信されたＳＲとのうちの少なくとも１つのブラインド検出を行うブラインド検出コンポーネント１４１０を含みうる。
【０１０６】
[00116]  装置は、図１３の前述されたフローチャート中のアルゴリズムのブロックの各々を行う追加のコンポーネントを含みうる。そのため、図１３の前述されたフローチャート中の各ブロックは、コンポーネントによって行われ、装置は、それらのコンポーネントのうちの１つまたは複数を含みうる。コンポーネントは、記載されたプロセス／アルゴリズムを行うように特に構成された１つまたは複数のハードウェアコンポーネントでありうるか、記載されたプロセス／アルゴリズムを行うように構成されたプロセッサによってインプリメントされうるか、プロセッサによるインプリメンテーションのためにコンピュータ可読媒体内に記憶されうるか、またはそれらの何らかの組み合わせでありうる。
【０１０７】
[00117]  図１５は、処理システム１５１４を用いる装置１４０２’のためのハードウェアインプリメンテーションの例を例示する図１５００である。処理システム１５１４は、概してバス１５２４によって表される、バスアーキテクチャを用いてインプリメントされうる。バス１５２４は、処理システム１５１４の特定のアプリケーションおよび全体的な設計制約に依存して、任意の数の相互接続バスおよびブリッジを含みうる。バス１５２４は、プロセッサ１５０４、コンポーネント１４０４、１４０６、１４０８、１４１０、およびコンピュータ可読媒体／メモリ１５０６によって表される、１つまたは複数のプロセッサおよび／またはハードウェアコンポーネントを含む様々な回路をともにリンクする。バス１５２４はまた、タイミングソース、周辺機器、電圧レギュレータ、および電力管理回路のような様々な他の回路をリンクしうるが、それらは、当該技術において良く知られており、したがって、これ以上は説明されない。
【０１０８】
[00118]  処理システム１５１４は、トランシーバ１５１０に結合されうる。トランシーバ１５１０は、１つまたは複数のアンテナ１５２０に結合される。トランシーバ１５１０は、送信媒体を通して様々な他の装置と通信するための手段を提供する。トランシーバ１５１０は、１つまたは複数のアンテナ１５２０から信号を受信し、受信された信号から情報を抽出し、抽出された情報を処理システム１５１４、具体的には受信コンポーネント１４０４に提供する。加えて、トランシーバ１５１０は、処理システム１５１４、具体的には送信コンポーネント１４０６から情報を受信し、受信された情報に基づいて、１つまたは複数のアンテナ１５２０に適用されることになる信号を生成する。処理システム１５１４は、コンピュータ可読媒体／メモリ１５０６に結合されたプロセッサ１５０４を含む。プロセッサ１５０４は、コンピュータ可読媒体／メモリ１５０６上に記憶されたソフトウェアの実行を含む一般の処理を担う。ソフトウェアは、プロセッサ１５０４によって実行されたとき、処理システム１５１４に、任意の特定の装置に関して上記に説明された様々な機能を実行させる。コンピュータ可読媒体／メモリ１５０６はまた、ソフトウェアを実行するときにプロセッサ１５０４によって操作されるデータを記憶するために使用されうる。処理システム１５１４はさらに、コンポーネント１４０４、１４０６、１４０８、１４１０のうちの少なくとも１つを含む。コンポーネントは、プロセッサ１５０４中で作動中であり、コンピュータ可読媒体／メモリ１５０６中に存在する／記憶されたソフトウェアコンポーネント、プロセッサ１５０４に結合された１つまたは複数のハードウェアコンポーネント、またはそれらの何らかの組み合わせでありうる。処理システム１５１４は、ｅＮＢ３１０のコンポーネントであり、メモリ３７６および／またはＴＸプロセッサ３１６、ＲＸプロセッサ３７０、およびコントローラ／プロセッサ３７５のうちの少なくとも１つを含みうる。
【０１０９】
[00119]  一構成では、ワイヤレス通信のための装置１４０２／１４０２’は、ＡＣＫがしきい値量の時間内にＵＥから受信されたかどうかを決定するための手段を含む。別の構成では、ワイヤレス通信のための装置１４０２／１４０２’は、ＡＣＫが少なくともしきい値量の時間の間にＵＥから受信されていないときに、ＡＣＫに関して送信するというインジケーションをＵＥに送信するための手段を含む。さらなる構成では、ワイヤレス通信のための装置１４０２／１４０２’は、ＮＡＣＫと、ＮＡＣＫまたはＡＣＫと同時に送信されたＳＲとのうちの少なくとも１つのブラインド検出を行うための手段を含む。前述された手段は、前述された手段によって記載された機能を行うように構成された装置１４０２’の処理システム１５１４および／または装置１４０２の前述されたコンポーネントのうちの１つまたは複数でありうる。上記に説明されたように、処理システム１５１４は、ＴＸプロセッサ３１６、ＲＸプロセッサ３７０、およびコントローラ／プロセッサ３７５を含みうる。そのため、一構成では、前述された手段は、前述された手段によって記載された機能を行うように構成されたＴＸプロセッサ３１６、ＲＸプロセッサ３７０、およびコントローラ／プロセッサ３７５でありうる。
【０１１０】
[00120]  開示されたプロセス／フローチャート中のブロックの特定の順序または階層は例証的なアプローチの例示であるということが理解される。設計の選好に基づいて、プロセス／フローチャート中のブロックの特定の順序または階層は再配列されうるということが理解される。さらに、いくつかのブロックは、組み合わされうるか、または省略されうる。添付の方法の請求項は、サンプルの順序で様々なブロックの要素を提示しており、提示された特定の順序または階層に限定されることを意図されてはいない。
【０１１１】
[00121]  先の説明は、いかなる当業者であっても、ここに説明された様々な態様を実施することを可能にするために提供される。これらの態様への様々な修正は、当業者にとって容易に明らかとなり、ここに定義された包括的な原理は、他の態様に適用されうる。このことから、特許請求の範囲は、ここに示された態様に限定されることを意図されてはいないが、特許請求の範囲の文言と一致する全範囲を付与されるべきであり、ここにおいて、単数形での要素への言及は、そうであると具体的に記載されない限り、「１つおよび１つのみ」を意味することを意図されてはおらず、むしろ「１つまたは複数」を意味する。「例証的（exemplary）」という用語は、ここでは、「例、事例、または例示としての役割を果たすこと」を意味するように使用される。「例証的」であるとしてここに説明されたいずれの態様も、他の態様より好ましいまたは有利であるとして必ずしも解釈されるべきではない。そうでないと具体的に記載されない限り、「何らかの／いくつかの／いくらかの（some）」という用語は、１つまたは複数を指す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」および「Ａ、Ｂ、Ｃ、またはそれらの任意の組み合わせ」のような組み合わせは、Ａ、Ｂ、および／またはＣの任意の組み合わせを含み、複数のＡ、複数のＢ、または複数のＣを含みうる。具体的には、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」および「Ａ、Ｂ、Ｃ、またはそれらの任意の組み合わせ」のような組み合わせは、Ａのみ、Ｂのみ、Ｃのみ、ＡとＢ、ＡとＣ、ＢとＣ、またはＡとＢとＣでありえ、ここで、任意のそのような組み合わせは、Ａ、Ｂ、またはＣの１つまた複数のメンバを包含しうる。当業者に知られているか、または後に知られることとなる、この開示全体を通じて説明された様々な態様の要素と構造的および機能的に同等な物は全て、参照によってここに明確に組み込まれ、特許請求の範囲によって包含されることを意図される。その上、ここに開示されたものはいずれも、そのような開示が特許請求の範囲中に明示的に記載されているかどうかにかかわらず、公に献呈されることを意図されてはいない。「モジュール」、「メカニズム」、「要素」、「デバイス」、等の用語は、「手段」という用語の代用ではないことがありうる。そのため、要素が「〜のための手段」というフレーズを使用して明確に記載されていない限り、どの請求項の要素もミーンズプラスファンクションとして解釈されるべきではない。
【図１】
2019508938.tif 000005
【図２Ａ】
2019508938.tif 000006
【図２Ｂ】
2019508938.tif 000007
【図２Ｃ】
2019508938.tif 000008
【図２Ｄ】
2019508938.tif 000009
【図３】
2019508938.tif 000010
【図４】
2019508938.tif 000011
【図５】
2019508938.tif 000012
【図６】
2019508938.tif 000013
【図７Ａ】
2019508938.tif 000014
【図７Ｂ】
2019508938.tif 000015
【図８Ａ】
2019508938.tif 000016
【図８Ｂ】
2019508938.tif 000017
【図９】
2019508938.tif 000018
【図１０】
2019508938.tif 000019
【図１１】
2019508938.tif 000020
【図１２】
2019508938.tif 000021
【図１３】
2019508938.tif 000022
【図１４】
2019508938.tif 000023
【図１５】
2019508938.tif 000024
【手続補正書】
【提出日】平成30年10月2日(2018.10.2)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ダウンリンク送信を受信することと、
時間拡散を使用して確認応答（ＡＣＫ）チャネル上でシングルトーンＡＣＫを送信することと
を備える、方法。
【請求項２】
前記ワイヤレス通信は、ナローバンドワイヤレス通信を備える、請求項１に記載の方法。
【請求項３】
複数のユーザは、時間ドメイン中で複数のシンボルを横切る（cross）異なる直交カバーコードと符号分割多重化される、請求項１に記載の方法。
【請求項４】
前記送信は、７つのシンボルの期間あたり３つの復調基準信号（ＤＭ−ＲＳ）シンボルを含む、請求項１に記載の方法。
【請求項５】
前記送信は、前記ＤＭ−ＲＳシンボルに対して３の拡散率を含む、請求項４に記載の方法。
【請求項６】
前記送信は、データシンボルに対して２または４の拡散率を含む、請求項５に記載の方法。
【請求項７】
直交カバーコードは、前記ＲＳおよびデータシンボルの拡散を行うために選択され、前記直交カバーコードは、セル固有サイクリックシフトおよび拡散率の数の関数である、請求項５に記載の方法。
【請求項８】
前記送信は、ＲＳおよびデータシンボルに対して１の拡散率を含む、請求項４に記載の方法。
【請求項９】
前記送信は、複数のサブフレームにわたってカバーコードホッピングを使用して送信される、請求項１に記載の方法。
【請求項１０】
前記送信は、スロットベースの周波数ホッピングを伴わずに送信される、請求項１に記載の方法。
【請求項１１】
前記送信は、スロットベースの周波数ホッピングを使用して送信される、請求項１に記載の方法。
【請求項１２】
前記ＡＣＫは、サブフレーム中に等しい数のデータシンボルと基準信号（ＲＳ）シンボルとを有するシングルトーン内で送信される、請求項１に記載の方法。
【請求項１３】
前記ＲＳシンボルに対する前記データシンボルの配置は、前記サブフレーム中の前記シングルトーン内で任意であり、
前記データシンボルとＲＳとは、スロットベースの周波数ホッピングを伴わずに送信される、請求項１２に記載の方法。
【請求項１４】
前記ＡＣＫチャネルを物理アップリンク共有チャネル（ＰＵＳＣＨ）と多重化すること
をさらに備える、請求項１に記載の方法。
【請求項１５】
前記ＡＣＫチャネルと前記ＰＵＳＣＨとは、サブフレーム内で周波数においてホッピングする、請求項１４に記載の方法。
【請求項１６】
前記ＡＣＫチャネルと前記ＰＵＳＣＨとは、サブフレーム内で周波数において連続的である、請求項１４に記載の方法。
【請求項１７】
前記ＡＣＫチャネルは、エッジトーン間でホッピングし、前記ＰＵＳＣＨは、前記エッジトーン間の残りのトーンを占有するか、または前記ＰＵＳＣＨは、エッジトーン間でホッピングし、前記ＡＣＫチャネルは、前記エッジトーン間で残りのトーンを占有する、請求項１４に記載の方法。
【請求項１８】
前記ＡＣＫチャネルのバンドリングサイズに基づいてタイミング調整のための最大時間を調整すること
をさらに備える、請求項１４に記載の方法。
【請求項１９】
前記ダウンリンク送信に関連付けられた否定応答（ＮＡＣＫ）を送信すること
をさらに備える、請求項１に記載の方法。
【請求項２０】
前記ＮＡＣＫは、第２のチャネルを使用して送信される、請求項１９に記載の方法。
【請求項２１】
前記ＮＡＣＫは、オン／オフ構成を使用して送信される、請求項１９に記載の方法。
【請求項２２】
スケジューリング要求（ＳＲ）が前記ＮＡＣＫと同時に送信されることになるか、またはＡＣＫと同時に送信されることになるかに基づいて前記ＮＡＣＫまたは前記ＡＣＫの前記送信用のリソースを選択すること
をさらに備える、請求項１９に記載の方法。
【請求項２３】
前記選択されたリソースがそこから選択されるリソースのグループは、同じチャネル構造と、異なるトーン、異なるシーケンス、または異なるカバーコードのうちの少なくとも１つとを備え、異なるトーン、異なるシーケンス、または異なるカバーコードのうちの少なくとも１つを有するリソースは、前記スケジューリング要求（ＳＲ）が前記ＮＡＣＫと同時に送信されることになるか、または前記ＡＣＫと同時に送信されることになるかに基づいて選択される、請求項２２に記載の方法。
【請求項２４】
前記選択されたリソースがそこから選択されるリソースのグループは、異なるチャネル構造を備え、前記リソースは、前記送信が前記ＮＡＣＫのためのものであるか、あるいは前記ＮＡＣＫまたは前記ＡＣＫとともに前記ＳＲのためのものであるかに依存して選択される、請求項２２に記載の方法。
【請求項２５】
前記リソースの各々は、シングルトーンを備える、請求項２４に記載の方法。
【請求項２６】
前記選択されたリソースがそこから選択されるリソースのグループは、統合されたチャネル構造を備え、前記リソースの各々は、シングルトーンを備え、
前記ＳＲを伴わずに送信される前記ＮＡＣＫについては、前記ＮＡＣＫは、３および４の拡散率を使用して送信され、
前記ＡＣＫまたは前記ＮＡＣＫのいずれかを伴って送信される前記ＳＲについては、３の拡散率が前記ＲＳに対して使用され、４の拡散率が前記ＡＣＫまたはＮＡＣＫに対して使用される、請求項２２に記載の方法。
【請求項２７】
前記方法は、ユーザ機器（ＵＥ）によって実行され、前記方法は、
前記ＵＥが物理アップリンク共有チャネル（ＰＵＳＣＨ）上での送信用のデータを有するかどうかを決定することと、
前記ＵＥが前記ＰＵＳＣＨ上での送信用のデータを有するときに、前記ＰＵＳＣＨ上でＡＣＫおよび第２のＮＡＣＫのうちの１つを送信することと
をさらに備える、請求項１に記載の方法。
【請求項２８】
前記方法は、ユーザ機器（ＵＥ）によって実行され、前記方法は、
前記ＵＥがＰＵＳＣＨ上での送信用のデータを有するかどうかを決定することと、
前記ＵＥが送信用のデータを有さないときに、ＡＣＫを送信することを控えることと
をさらに備える、請求項１に記載の方法。
【請求項２９】
物理アップリンク共有制御チャネル（ＰＵＳＣＨ）上で前記ＡＣＫを送信すること
をさらに備える、請求項１に記載の方法。
【請求項３０】
前記ＡＣＫは、多くとも２ビットを備え、前記方法は、
前記ＰＵＳＣＨ上での送信のために複数のＡＣＫをともにグループ化すること
をさらに備える、請求項２９に記載の方法。
【請求項３１】
物理レイヤＡＣＫを送信することなしに、上位レイヤ送信を介してＡＣＫを通信すること
をさらに備える、請求項１に記載の方法。
【請求項３２】
ＡＣＫを送信するというインジケーションが受信されるまで、前記ダウンリンク送信に関連付けられた少なくとも１つのＡＣＫを送信することを控えること
をさらに備える、請求項１に記載の方法。
【請求項３３】
ＡＣＫを送信するというインジケーションを発展型ノードＢ（ｅＮＢ）から受信することと、
ＰＵＳＣＨ上で前記ｅＮＢにＡＣＫに関して送信することと
をさらに備える、請求項３２に記載の方法。
【請求項３４】
ＡＣＫを送信するという前記インジケーションは、ワイヤレス通信が前記ｅＮＢから成功裏に受信されたかどうかをＵＥが示すべき期間を示す、請求項３３に記載の方法。
【請求項３５】
ワイヤレス通信のための装置であって、
ダウンリンク送信を受信するための手段と、
時間拡散を使用して確認応答（ＡＣＫ）チャネル上でシングルトーンＡＣＫを送信するための手段と
を備える、装置。
【請求項３６】
複数のユーザは、時間ドメイン中で複数のシンボルを横切る異なる直交カバーコードと符号分割多重化される、請求項３５に記載の装置。
【請求項３７】
前記送信は、７つのシンボルの期間あたり３つの復調基準信号（ＤＭ−ＲＳ）シンボルを含む、請求項３５に記載の装置。
【請求項３８】
前記送信は、複数のサブフレームにわたってカバーコードホッピングを使用して送信される、請求項３５に記載の装置。
【請求項３９】
前記送信は、スロットベースの周波数ホッピングを伴わずに送信される、請求項３５に記載の装置。
【請求項４０】
前記ＡＣＫチャネルを物理アップリンク共有チャネル（ＰＵＳＣＨ）と多重化するための手段
をさらに備える、請求項３５に記載の装置。
【請求項４１】
前記ＰＵＳＣＨと多重化された前記ＡＣＫチャネルのバンドリングサイズに基づいてタイミング調整のための最大時間を調整するための手段
をさらに備える、請求項４０に記載の装置。
【請求項４２】
前記送信するための手段は、前記ダウンリンク送信に関連付けられた否定応答（ＮＡＣＫ）を送信する、請求項３５に記載の装置。
【請求項４３】
前記送信するための手段は、スケジューリング要求（ＳＲ）が前記ＮＡＣＫと同時に送信されることになるか、またはＡＣＫと同時に送信されることになるかに基づいて前記ＮＡＣＫまたは前記ＡＣＫの前記送信用のリソースを選択し、前記リソースの各々は、シングルトーンを備え、
前記選択されたリソースがそこから選択されるリソースのグループは、
同じチャネル構造と、異なるトーン、異なるシーケンス、または異なるカバーコードのうちの少なくとも１つと、ここにおいて、異なるトーン、異なるシーケンス、または異なるカバーコードのうちの少なくとも１つを有するリソースは、前記スケジューリング要求（ＳＲ）が前記ＮＡＣＫと同時に送信されることになるか、または前記ＡＣＫと同時に送信されることになるかに基づいて選択される、または、
異なるチャネル構造、ここにおいて、前記リソースは、前記送信が前記ＮＡＣＫのためのものであるか、あるいは前記ＮＡＣＫまたは前記ＡＣＫとともに前記ＳＲのためのものであるかに依存して選択される、
を備える、請求項４２に記載の装置。
【請求項４４】
前記送信するための手段は、スケジューリング要求（ＳＲ）が前記ＮＡＣＫと同時に送信されることになるか、またはＡＣＫと同時に送信されることになるかに基づいて前記ＮＡＣＫまたは前記ＡＣＫの前記送信用のリソースを選択し、前記選択されたリソースがそこから選択されるリソースのグループは、統合されたチャネル構造を備え、前記リソースの各々は、シングルトーンを備え、
前記ＳＲを伴わずに送信される前記ＮＡＣＫについては、前記ＮＡＣＫは、３および４の拡散率を使用して送信され、
前記ＡＣＫまたは前記ＮＡＣＫのいずれかを伴って送信される前記ＳＲについては、３の拡散率が前記ＲＳに対して使用され、４の拡散率が前記ＡＣＫまたはＮＡＣＫに対して使用される、請求項４２に記載の装置。
【請求項４５】
前記送信するための手段は、ＵＥが物理アップリンク共有チャネル（ＰＵＳＣＨ）上での送信用のデータを有するかどうかを決定し、前記装置が前記ＰＵＳＣＨ上での送信用のデータを有するときに、前記ＰＵＳＣＨ上で前記ＡＣＫおよび第２のＮＡＣＫのうちの１つを送信し、前記装置が送信用のデータを有さないときに、前記ＡＣＫを送信することを控える、請求項３５に記載の装置。
【請求項４６】
前記送信するための手段は、物理アップリンク共有制御チャネル（ＰＵＳＣＨ）上で前記ＡＣＫを送信する、請求項３５に記載の装置。
【請求項４７】
前記ＡＣＫは、多くとも２ビットを備え、前記送信するための手段は、前記ＰＵＳＣＨ上での送信のために複数のＡＣＫをともにグループ化する、請求項４６に記載の装置。
【請求項４８】
前記送信するための手段は、ＡＣＫを送信するというインジケーションが受信されるまで、前記ダウンリンク送信に関連付けられた少なくとも１つのＡＣＫを送信することを控える、請求項３５に記載の装置。
【請求項４９】
ＡＣＫを送信するというインジケーションを発展型ノードＢ（ｅＮＢ）から受信するための手段、ここにおいて、前記送信するための手段は、前記インジケーションを受信することに応答して、前記ＰＵＳＣＨ上で前記ｅＮＢにＡＣＫに関して送信する、
をさらに備える、請求項４８に記載の装置。
【請求項５０】
ワイヤレス通信のための装置であって、
メモリと、
前記メモリに結合され、
ダウンリンク送信を受信することと、
時間拡散を使用して確認応答（ＡＣＫ）チャネル上でシングルトーンＡＣＫを送信することと
を行うように構成された少なくとも１つのプロセッサと
を備える、装置。
【請求項５１】
複数のユーザは、時間ドメイン中で複数のシンボルを横切る異なる直交カバーコードと符号分割多重化される、請求項５０に記載の装置。
【請求項５２】
前記送信は、７つのシンボルの期間あたり３つの復調基準信号（ＤＭ−ＲＳ）シンボルを含む、請求項５０に記載の装置。
【請求項５３】
前記送信は、複数のサブフレームにわたってカバーコードホッピングを使用して送信される、請求項５０に記載の装置。
【請求項５４】
前記送信は、スロットベースの周波数ホッピングを伴わずに送信される、請求項５０に記載の装置。
【請求項５５】
前記少なくとも１つのプロセッサは、
前記ＡＣＫチャネルを物理アップリンク共有チャネル（ＰＵＳＣＨ）と多重化すること
を行うようにさらに構成される、請求項５０に記載の装置。
【請求項５６】
前記少なくとも１つのプロセッサは、
前記ＰＵＳＣＨと多重化された前記ＡＣＫチャネルのバンドリングサイズに基づいてタイミング調整のための最大時間を調整すること
を行うようにさらに構成される、請求項５５に記載の装置。
【請求項５７】
前記少なくとも１つのプロセッサは、
前記ダウンリンク送信に関連付けられた否定応答（ＮＡＣＫ）を送信すること
を行うようにさらに構成される、請求項５０に記載の装置。
【請求項５８】
前記少なくとも１つのプロセッサは、
スケジューリング要求（ＳＲ）が前記ＮＡＣＫと同時に送信されることになるか、またはＡＣＫと同時に送信されることになるかに基づいて前記ＮＡＣＫまたは前記ＡＣＫの前記送信用のリソースを選択すること、ここにおいて、前記リソースの各々は、シングルトーンを備え、
前記選択されたリソースがそこから選択されるリソースのグループは、
同じチャネル構造と、異なるトーン、異なるシーケンス、または異なるカバーコードのうちの少なくとも１つと、ここにおいて、異なるトーン、異なるシーケンス、または異なるカバーコードのうちの少なくとも１つを有するリソースは、前記スケジューリング要求（ＳＲ）が前記ＮＡＣＫと同時に送信されることになるか、または前記ＡＣＫと同時に送信されることになるかに基づいて選択される、または、
異なるチャネル構造、ここにおいて、前記リソースは、前記送信が前記ＮＡＣＫのためのものであるか、あるいは前記ＮＡＣＫまたは前記ＡＣＫとともに前記ＳＲのためのものであるかに依存して選択される、
を備える、
を行うようにさらに構成される、請求項５７に記載の装置。
【請求項５９】
前記少なくとも１つのプロセッサは、
スケジューリング要求（ＳＲ）が前記ＮＡＣＫと同時に送信されることになるか、または前記ＡＣＫと同時に送信されることになるかに基づいて前記ＮＡＣＫまたは前記ＡＣＫの前記送信用のリソースを選択すること、ここにおいて、前記選択されたリソースがそこから選択されるリソースのグループは、統合されたチャネル構造を備え、前記リソースの各々は、シングルトーンを備え、
前記ＳＲを伴わずに送信される前記ＮＡＣＫについては、前記ＮＡＣＫは、３および４の拡散率を使用して送信され、
前記ＡＣＫまたは前記ＮＡＣＫのいずれかを伴って送信される前記ＳＲについては、３の拡散率が前記ＲＳに対して使用され、４の拡散率が前記ＡＣＫまたはＮＡＣＫに対して使用される、
を行うようにさらに構成される、請求項５７に記載の装置。
【請求項６０】
前記少なくとも１つのプロセッサは、
ＵＥが物理アップリンク共有チャネル（ＰＵＳＣＨ）上での送信用のデータを有するかどうかを決定することと、
前記装置が前記ＰＵＳＣＨ上での送信用のデータを有するときに、前記ＰＵＳＣＨ上で前記ＡＣＫおよび第２のＮＡＣＫのうちの１つを送信することと、
前記装置が送信用のデータを有さないときに、前記ＡＣＫを送信することを控えることと
を行うようにさらに構成される、請求項５０に記載の装置。
【請求項６１】
前記少なくとも１つのプロセッサは、
物理アップリンク共有制御チャネル（ＰＵＳＣＨ）上で前記ＡＣＫを送信すること
を行うようにさらに構成される、請求項５０に記載の装置。
【請求項６２】
前記ＡＣＫは、多くとも２ビットを備え、前記少なくとも１つのプロセッサは、
前記ＰＵＳＣＨ上での送信のために複数のＡＣＫをともにグループ化すること
を行うようにさらに構成される、請求項６１に記載の装置。
【請求項６３】
前記少なくとも１つのプロセッサは、
ＡＣＫを送信するというインジケーションが受信されるまで、前記ダウンリンク送信に関連付けられた少なくとも１つのＡＣＫを送信することを控えること
を行うようにさらに構成される、請求項５０に記載の装置。
【請求項６４】
前記少なくとも１つのプロセッサは、
ＡＣＫを送信するというインジケーションを発展型ノードＢ（ｅＮＢ）から受信することと、
前記インジケーションを受信することに応答して、前記ＰＵＳＣＨ上で前記ｅＮＢにＡＣＫに関して送信することと
を行うようにさらに構成される、請求項６３に記載の装置。
【請求項６５】
コンピュータ実行可能コードを記憶するコンピュータ可読媒体であって、
ダウンリンク送信を受信することと、
時間拡散を使用して確認応答（ＡＣＫ）チャネル上でシングルトーンＡＣＫを送信することと
を行うためのコードを備える、コンピュータ可読媒体。
【請求項６６】
複数のユーザは、時間ドメイン中で複数のシンボルを横切る異なる直交カバーコードと符号分割多重化される、請求項６５に記載のコンピュータ可読媒体。
【請求項６７】
前記送信は、７つのシンボルの期間あたり３つの復調基準信号（ＤＭ−ＲＳ）シンボルを含む、請求項６５に記載のコンピュータ可読媒体。
【請求項６８】
前記送信は、複数のサブフレームにわたってカバーコードホッピングを使用して送信される、請求項６５に記載のコンピュータ可読媒体。
【請求項６９】
前記送信は、スロットベースの周波数ホッピングを伴わずに送信される、請求項６５に記載のコンピュータ可読媒体。
【請求項７０】
前記ＡＣＫは、物理アップリンク共有制御チャネル（ＰＵＳＣＨ）上で送信される、請求項６５に記載のコンピュータ可読媒体。
【請求項７１】
前記ＡＣＫチャネルを物理アップリンク共有チャネル（ＰＵＳＣＨ）と多重化すること
を行うためのコードをさらに備える、請求項６５に記載のコンピュータ可読媒体。
【請求項７２】
ワイヤレス通信の方法であって、
確認応答（ＡＣＫ）がしきい値量の時間内にユーザ機器（ＵＥ）から受信されたかどうかを決定することと、
前記ＡＣＫが少なくとも前記しきい値量の時間の間に前記ＵＥから受信されていないときに、前記ＡＣＫに関して送信するというインジケーションを前記ＵＥに送信することと
を備える、方法。
【請求項７３】
ＮＡＣＫと、前記ＮＡＣＫまたは前記ＡＣＫと同時に送信されたスケジューリング要求（ＳＲ）とのうちの少なくとも１つのブラインド検出を行うこと
をさらに備える、請求項７２に記載の方法。
【請求項７４】
ワイヤレス通信のための装置であって、
確認応答（ＡＣＫ）がしきい値量の時間内にユーザ機器（ＵＥ）から受信されたかどうかを決定するための手段と、
前記ＡＣＫが少なくとも前記しきい値量の時間の間に前記ＵＥから受信されていないときに、前記ＡＣＫに関して送信するというインジケーションを前記ＵＥに送信するための手段と
を備える、装置。
【請求項７５】
ＮＡＣＫと、前記ＮＡＣＫまたは前記ＡＣＫと同時に送信されたスケジューリング要求（ＳＲ）とのうちの少なくとも１つのブラインド検出を行うための手段
をさらに備える、請求項７４に記載の装置。
【請求項７６】
ワイヤレス通信のための装置であって、
メモリと、
前記メモリに結合され、
確認応答（ＡＣＫ）がしきい値量の時間内にユーザ機器（ＵＥ）から受信されたかどうかを決定することと、
前記ＡＣＫが少なくとも前記しきい値量の時間の間に前記ＵＥから受信されていないときに、前記ＡＣＫに関して送信するというインジケーションを前記ＵＥに送信することと
を行うように構成された少なくとも１つのプロセッサと
を備える、装置。
【請求項７７】
前記少なくとも１つのプロセッサは、
ＮＡＣＫと、前記ＮＡＣＫまたは前記ＡＣＫと同時に送信されたスケジューリング要求（ＳＲ）とのうちの少なくとも１つのブラインド検出を行うように、
さらに構成される、請求項７６に記載の装置。
【請求項７８】
コンピュータ実行可能コードを記憶するコンピュータ可読媒体であって、
確認応答（ＡＣＫ）がしきい値量の時間内にユーザ機器（ＵＥ）から受信されたかどうかを決定することと、
前記ＡＣＫが少なくとも前記しきい値量の時間の間に前記ＵＥから受信されていないときに、前記ＡＣＫに関して送信するというインジケーションを前記ＵＥに送信することと
を行うためのコードを備える、コンピュータ可読媒体。
【請求項７９】
ＮＡＣＫと、前記ＮＡＣＫまたは前記ＡＣＫと同時に送信されたスケジューリング要求（ＳＲ）とのうちの少なくとも１つのブラインド検出を行うためのコード
をさらに備える、請求項７８に記載のコンピュータ可読媒体。
【手続補正２】
【補正対象書類名】明細書
【補正対象項目名】０１１１
【補正方法】変更
【補正の内容】
【０１１１】
[00121]  先の説明は、いかなる当業者であっても、ここに説明された様々な態様を実施することを可能にするために提供される。これらの態様への様々な修正は、当業者にとって容易に明らかとなり、ここに定義された包括的な原理は、他の態様に適用されうる。このことから、特許請求の範囲は、ここに示された態様に限定されることを意図されてはいないが、特許請求の範囲の文言と一致する全範囲を付与されるべきであり、ここにおいて、単数形での要素への言及は、そうであると具体的に記載されない限り、「１つおよび１つのみ」を意味することを意図されてはおらず、むしろ「１つまたは複数」を意味する。「例証的（exemplary）」という用語は、ここでは、「例、事例、または例示としての役割を果たすこと」を意味するように使用される。「例証的」であるとしてここに説明されたいずれの態様も、他の態様より好ましいまたは有利であるとして必ずしも解釈されるべきではない。そうでないと具体的に記載されない限り、「何らかの／いくつかの／いくらかの（some）」という用語は、１つまたは複数を指す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」および「Ａ、Ｂ、Ｃ、またはそれらの任意の組み合わせ」のような組み合わせは、Ａ、Ｂ、および／またはＣの任意の組み合わせを含み、複数のＡ、複数のＢ、または複数のＣを含みうる。具体的には、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」および「Ａ、Ｂ、Ｃ、またはそれらの任意の組み合わせ」のような組み合わせは、Ａのみ、Ｂのみ、Ｃのみ、ＡとＢ、ＡとＣ、ＢとＣ、またはＡとＢとＣでありえ、ここで、任意のそのような組み合わせは、Ａ、Ｂ、またはＣの１つまた複数のメンバを包含しうる。当業者に知られているか、または後に知られることとなる、この開示全体を通じて説明された様々な態様の要素と構造的および機能的に同等な物は全て、参照によってここに明確に組み込まれ、特許請求の範囲によって包含されることを意図される。その上、ここに開示されたものはいずれも、そのような開示が特許請求の範囲中に明示的に記載されているかどうかにかかわらず、公に献呈されることを意図されてはいない。「モジュール」、「メカニズム」、「要素」、「デバイス」、等の用語は、「手段」という用語の代用ではないことがありうる。そのため、要素が「〜のための手段」というフレーズを使用して明確に記載されていない限り、どの請求項の要素もミーンズプラスファンクションとして解釈されるべきではない。
以下に本願発明の当初の特許請求の範囲に記載された発明を付記する。
［Ｃ１］
ワイヤレス通信の方法であって、
ダウンリンク送信を受信することと、
時間拡散を使用して確認応答（ＡＣＫ）チャネル上でシングルトーンＡＣＫを送信することと
を備える、方法。
［Ｃ２］
前記ワイヤレス通信は、ナローバンドワイヤレス通信を備える、Ｃ１に記載の方法。
［Ｃ３］
複数のユーザは、時間ドメイン中で複数のシンボルを横切る（cross）異なる直交カバーコードと符号分割多重化される、Ｃ１に記載の方法。
［Ｃ４］
前記送信は、７つのシンボル期間あたり３つの復調基準信号（ＤＭ−ＲＳ）シンボルを含む、Ｃ１に記載の方法。
［Ｃ５］
前記送信は、前記ＤＭ−ＲＳシンボルに対して３の拡散率を含む、Ｃ４に記載の方法。
［Ｃ６］
前記送信は、データシンボルに対して２または４の拡散率を含む、Ｃ５に記載の方法。
［Ｃ７］
直交カバーコードは、前記ＲＳおよびデータシンボルの拡散を行うために選択され、前記直交カバーコードは、セル固有サイクリックシフトおよび拡散率の数の関数である、Ｃ５に記載の方法。
［Ｃ８］
前記送信は、ＲＳおよびデータシンボルに対して１の拡散率を含む、Ｃ４に記載の方法。
［Ｃ９］
前記送信は、複数のサブフレームにわたってカバーコードホッピングを使用して送信される、Ｃ１に記載の方法。
［Ｃ１０］
前記送信は、スロットベースの周波数ホッピングを伴わずに送信される、Ｃ１に記載の方法。
［Ｃ１１］
前記送信は、スロットベースの周波数ホッピングを使用して送信される、Ｃ１に記載の方法。
［Ｃ１２］
前記ＡＣＫは、サブフレーム中に等しい数のデータシンボルと基準信号（ＲＳ）シンボルとを有するシングルトーン内で送信される、Ｃ１に記載の方法。
［Ｃ１３］
前記ＲＳシンボルに対する前記データシンボルの配置は、前記サブフレーム中の前記シングルトーン内で任意であり、
前記データシンボルとＲＳとは、スロットベースの周波数ホッピングを伴わずに送信される、Ｃ１２に記載の方法。
［Ｃ１４］
前記ＡＣＫチャネルを物理アップリンク共有チャネル（ＰＵＳＣＨ）と多重化すること
をさらに備える、Ｃ１に記載の方法。
［Ｃ１５］
前記ＡＣＫチャネルと前記ＰＵＳＣＨとは、サブフレーム内で周波数においてホッピングする、Ｃ１４に記載の方法。
［Ｃ１６］
前記ＡＣＫチャネルと前記ＰＵＳＣＨとは、サブフレーム内で周波数において連続的である、Ｃ１４に記載の方法。
［Ｃ１７］
前記ＡＣＫチャネルは、エッジトーン間でホッピングし、前記ＰＵＳＣＨは、前記エッジトーン間の残りのトーンを占有するか、または前記ＰＵＳＣＨは、エッジトーン間でホッピングし、前記ＡＣＫチャネルは、前記エッジトーン間で残りのトーンを占有する、Ｃ１４に記載の方法。
［Ｃ１８］
前記ＡＣＫチャネルのバンドリングサイズに基づいてタイミング調整タイマを調整すること
をさらに備える、Ｃ１４に記載の方法。
［Ｃ１９］
前記ダウンリンク送信に関連付けられた否定応答（ＮＡＣＫ）を送信すること
をさらに備える、Ｃ１に記載の方法。
［Ｃ２０］
前記ＮＡＣＫは、第２のチャネルを使用して送信される、Ｃ１９に記載の方法。
［Ｃ２１］
前記ＮＡＣＫは、オン／オフ構成を使用して送信される、Ｃ１９に記載の方法。
［Ｃ２２］
スケジューリング要求（ＳＲ）が前記ＮＡＣＫと同時に送信されることになるか、または前記ＡＣＫと同時に送信されることになるかに基づいて前記ＮＡＣＫまたはＡＣＫの前記送信用のリソースを選択すること
をさらに備える、Ｃ１９に記載の方法。
［Ｃ２３］
前記選択されたリソースがそこから選択されるリソースのグループは、同じチャネル構造と、異なるトーン、異なるシーケンス、または異なるカバーコードのうちの少なくとも１つとを備え、異なるトーン、異なるシーケンス、または異なるカバーコードのうちの少なくとも１つを有するリソースは、前記スケジューリング要求（ＳＲ）が前記ＮＡＣＫと同時に送信されることになるか、または前記ＡＣＫと同時に送信されることになるかに基づいて選択される、Ｃ２２に記載の方法。
［Ｃ２４］
前記選択されたリソースがそこから選択されるリソースのグループは、異なるチャネル構造を備え、前記リソースは、前記送信が前記ＮＡＣＫのためのものであるか、あるいは前記ＮＡＣＫまたは前記ＡＣＫとともに前記ＳＲのためのものであるかに依存して選択される、Ｃ２２に記載の方法。
［Ｃ２５］
前記リソースの各々は、シングルトーンを備える、Ｃ２４に記載の方法。
［Ｃ２６］
前記選択されたリソースがそこから選択されるリソースのグループは、統合されたチャネル構造を備え、前記リソースの各々は、シングルトーンを備え、
前記ＳＲを伴わずに送信される前記ＮＡＣＫについては、前記ＮＡＣＫは、３および４の拡散率を使用して送信され、
前記ＡＣＫまたは前記ＮＡＣＫのいずれかを伴って送信される前記ＳＲについては、３の拡散率が前記ＲＳに対して使用され、４の拡散率が前記ＡＣＫまたはＮＡＣＫに対して使用される、Ｃ２２に記載の方法。
［Ｃ２７］
前記方法は、ユーザ機器（ＵＥ）によって実行され、前記方法は、
前記ＵＥが物理アップリンク共有チャネル（ＰＵＳＣＨ）上での送信用のデータを有するかどうかを決定することと、
前記ＵＥが前記ＰＵＳＣＨ上での送信用のデータを有するときに、前記ＰＵＳＣＨ上でＡＣＫおよび第２のＮＡＣＫのうちの１つを送信することと
をさらに備える、Ｃ１に記載の方法。
［Ｃ２８］
前記方法は、ユーザ機器（ＵＥ）によって実行され、前記方法は、
前記ＵＥがＰＵＳＣＨ上での送信用のデータを有するかどうかを決定することと、
前記ＵＥが送信用のデータを有さないときに、ＡＣＫを送信することを控えることと
をさらに備える、Ｃ１に記載の方法。
［Ｃ２９］
物理アップリンク共有制御チャネル（ＰＵＳＣＨ）上で前記ＡＣＫを送信すること
をさらに備える、Ｃ１に記載の方法。
［Ｃ３０］
前記ＡＣＫは、多くとも２ビットを備え、前記方法は、
前記ＰＵＳＣＨ上での送信のために複数のＡＣＫをともにグループ化すること
をさらに備える、Ｃ２９に記載の方法。
［Ｃ３１］
物理レイヤＡＣＫを送信することなしに、上位レイヤ送信を介してＡＣＫを通信すること
をさらに備える、Ｃ１に記載の方法。
［Ｃ３２］
ＡＣＫを送信するというインジケーションが受信されるまで、前記ダウンリンク送信に関連付けられた少なくとも１つのＡＣＫを送信することを控えること
をさらに備える、Ｃ１に記載の方法。
［Ｃ３３］
発展型ノードＢ（ｅＮＢ）からＡＣＫを送信するというインジケーションを受信することと、
ＰＵＳＣＨ上で前記ｅＮＢにＡＣＫに関して送信することと
をさらに備える、Ｃ３２に記載の方法。
［Ｃ３４］
ＡＣＫを送信するという前記インジケーションは、ワイヤレス通信が前記ｅＮＢから成功裏に受信されたかどうかをＵＥが示すべき期間を示す、Ｃ３３に記載の方法。
［Ｃ３５］
ワイヤレス通信のための装置であって、
ダウンリンク送信を受信するための手段と、
時間拡散を使用して確認応答（ＡＣＫ）チャネル上でシングルトーンＡＣＫを送信するための手段と
を備える、装置。
［Ｃ３６］
複数のユーザは、時間ドメイン中で複数のシンボルを横切る異なる直交カバーコードで符号分割多重化される、Ｃ３５に記載の装置。
［Ｃ３７］
前記送信は、７つのシンボル期間あたり３つの復調基準信号（ＤＭ−ＲＳ）シンボルを含む、Ｃ３５に記載の装置。
［Ｃ３８］
前記送信は、複数のサブフレームにわたってカバーコードホッピングを使用して送信される、Ｃ３５に記載の装置。
［Ｃ３９］
前記送信は、スロットベースの周波数ホッピングを伴わずに送信される、Ｃ３５に記載の装置。
［Ｃ４０］
前記ＡＣＫチャネルを物理アップリンク共有チャネル（ＰＵＳＣＨ）と多重化するための手段
をさらに備える、Ｃ３５に記載の装置。
［Ｃ４１］
前記ＰＵＳＣＨと多重化された前記ＡＣＫチャネルのバンドリングサイズに基づいてタイミング調整タイマを調整するための手段
をさらに備える、Ｃ４０に記載の装置。
［Ｃ４２］
前記送信するための手段は、前記ダウンリンク送信に関連付けられた否定応答（ＮＡＣＫ）を送信する、Ｃ３５に記載の装置。
［Ｃ４３］
前記送信するための手段は、スケジューリング要求（ＳＲ）が前記ＮＡＣＫと同時に送信されることになるか、または前記ＡＣＫと同時に送信されることになるかに基づいて前記ＮＡＣＫまたはＡＣＫの前記送信用のリソースを選択し、前記リソースの各々は、シングルトーンを備え、
前記選択されたリソースがそこから選択されるリソースのグループは、
同じチャネル構造と、異なるトーン、異なるシーケンス、または異なるカバーコードのうちの少なくとも１つと、ここにおいて、異なるトーン、異なるシーケンス、または異なるカバーコードのうちの少なくとも１つを有するリソースは、前記スケジューリング要求（ＳＲ）が前記ＮＡＣＫと同時に送信されることになるか、または前記ＡＣＫと同時に送信されることになるかに基づいて選択される、または、
異なるチャネル構造と、ここにおいて、前記リソースは、前記送信が前記ＮＡＣＫのためのものであるか、あるいは前記ＮＡＣＫまたは前記ＡＣＫとともに前記ＳＲのためのものであるかに依存して選択される、
を備える、Ｃ４２に記載の装置。
［Ｃ４４］
前記送信するための手段は、スケジューリング要求（ＳＲ）が前記ＮＡＣＫと同時に送信されることになるか、または前記ＡＣＫと同時に送信されることになるかに基づいて前記ＮＡＣＫまたはＡＣＫの前記送信用のリソースを選択し、前記選択されたリソースがそこから選択されるリソースのグループは、統合されたチャネル構造を備え、前記リソースの各々は、シングルトーンを備え、
前記ＳＲを伴わずに送信される前記ＮＡＣＫについては、前記ＮＡＣＫは、３および４の拡散率を使用して送信され、
前記ＡＣＫまたは前記ＮＡＣＫのいずれかを伴って送信される前記ＳＲについては、３の拡散率が前記ＲＳに対して使用され、４の拡散率が前記ＡＣＫまたはＮＡＣＫに対して使用される、Ｃ４２に記載の装置。
［Ｃ４５］
前記送信するための手段は、ＵＥが前記ＰＵＳＣＨ上での送信用のデータを有するかどうかを決定し、前記装置が物理アップリンク共有チャネル（ＰＵＳＣＨ）上での送信用のデータを有するときに、前記ＰＵＳＣＨ上で前記ＡＣＫおよび第２のＮＡＣＫのうちの１つを送信し、前記装置が送信用のデータを有さないときに、前記ＡＣＫを送信することを控える、Ｃ３５に記載の装置。
［Ｃ４６］
前記送信するための手段は、物理アップリンク共有制御チャネル（ＰＵＳＣＨ）上で前記ＡＣＫを送信する、Ｃ３５に記載の装置。
［Ｃ４７］
前記ＡＣＫは、多くとも２ビットを備え、前記送信するための手段は、前記ＰＵＳＣＨ上での送信のために複数のＡＣＫをともにグループ化する、Ｃ４６に記載の装置。
［Ｃ４８］
前記送信するための手段は、ＡＣＫを送信するというインジケーションが受信されるまで、前記ダウンリンク送信に関連付けられた少なくとも１つのＡＣＫを送信することを控える、Ｃ３５に記載の装置。
［Ｃ４９］
ＡＣＫを送信するというインジケーションを発展型ノードＢ（ｅＮＢ）から受信するための手段、ここにおいて、前記送信するための手段は、前記インジケーションを受信することに応答して、前記ＰＵＳＣＨ上で前記ｅＮＢにＡＣＫに関して送信する、
をさらに備える、Ｃ４８に記載の装置。
［Ｃ５０］
ワイヤレス通信のための装置であって、
メモリと、
前記メモリに結合され、
ダウンリンク送信を受信することと、
時間拡散を使用して確認応答（ＡＣＫ）チャネル上でシングルトーンＡＣＫを送信することと
を行うように構成された少なくとも１つのプロセッサと
を備える、装置。
［Ｃ５１］
複数のユーザは、時間ドメイン中で複数のシンボルを横切る異なる直交カバーコードと符号分割多重化される、Ｃ５０に記載の装置。
［Ｃ５２］
前記送信は、７つのシンボル期間あたり３つの復調基準信号（ＤＭ−ＲＳ）シンボルを含む、Ｃ５０に記載の装置。
［Ｃ５３］
前記送信は、複数のサブフレームにわたってカバーコードホッピングを使用して送信される、Ｃ５０に記載の装置。
［Ｃ５４］
前記送信は、スロットベースの周波数ホッピングを伴わずに送信される、Ｃ５０に記載の装置。
［Ｃ５５］
前記少なくとも１つのプロセッサは、
前記ＡＣＫチャネルを物理アップリンク共有チャネル（ＰＵＳＣＨ）と多重化すること
を行うようにさらに構成される、Ｃ５０に記載の装置。
［Ｃ５６］
前記少なくとも１つのプロセッサは、
前記ＰＵＳＣＨと多重化された前記ＡＣＫチャネルのバンドリングサイズに基づいてタイミング調整タイマを調整すること
を行うようにさらに構成される、Ｃ５５に記載の装置。
［Ｃ５７］
前記少なくとも１つのプロセッサは、
前記ダウンリンク送信に関連付けられた否定応答（ＮＡＣＫ）を送信すること
を行うようにさらに構成される、Ｃ５０に記載の装置。
［Ｃ５８］
前記少なくとも１つのプロセッサは、
スケジューリング要求（ＳＲ）が前記ＮＡＣＫと同時に送信されることになるか、または前記ＡＣＫと同時に送信されることになるかに基づいて前記ＮＡＣＫまたはＡＣＫの前記送信用のリソースを選択すること、ここにおいて、前記リソースの各々は、シングルトーンを備え、
前記選択されたリソースがそこから選択されるリソースのグループは、
同じチャネル構造と、異なるトーン、異なるシーケンス、または異なるカバーコードのうちの少なくとも１つと、ここにおいて、異なるトーン、異なるシーケンス、または異なるカバーコードのうちの少なくとも１つを有するリソースは、前記スケジューリング要求（ＳＲ）が前記ＮＡＣＫと同時に送信されることになるか、または前記ＡＣＫと同時に送信されることになるかに基づいて選択される、または、
異なるチャネル構造、ここにおいて、前記リソースは、前記送信が前記ＮＡＣＫのためのものであるか、あるいは前記ＮＡＣＫまたは前記ＡＣＫとともに前記ＳＲのためのものであるかに依存して選択される、
を備える、
を行うようにさらに構成される、Ｃ５７に記載の装置。
［Ｃ５９］
前記少なくとも１つのプロセッサは、
スケジューリング要求（ＳＲ）が前記ＮＡＣＫと同時に送信されることになるか、または前記ＡＣＫと同時に送信されることになるかに基づいて前記ＮＡＣＫまたは前記ＡＣＫの前記送信用のリソースを選択すること、ここにおいて、前記選択されたリソースがそこから選択されるリソースのグループは、統合されたチャネル構造を備え、前記リソースの各々は、シングルトーンを備え、
前記ＳＲを伴わずに送信される前記ＮＡＣＫについては、前記ＮＡＣＫは、３および４の拡散率を使用して送信され、
前記ＡＣＫまたは前記ＮＡＣＫのいずれかを伴って送信される前記ＳＲについては、３の拡散率が前記ＲＳに対して使用され、４の拡散率が前記ＡＣＫまたはＮＡＣＫに対して使用される、
を行うようにさらに構成される、Ｃ５７に記載の装置。
［Ｃ６０］
前記少なくとも１つのプロセッサは、
ＵＥがＰＵＳＣＨ上での送信用のデータを有するかどうかを決定することと、
前記装置が物理アップリンク共有チャネル（ＰＵＳＣＨ）上での送信用のデータを有するときに、前記ＰＵＳＣＨ上で前記ＡＣＫおよび第２のＮＡＣＫのうちの１つを送信することと、
前記装置が送信用のデータを有さないときに、前記ＡＣＫを送信することを控えることと
を行うようにさらに構成される、Ｃ５０に記載の装置。
［Ｃ６１］
前記少なくとも１つのプロセッサは、
物理アップリンク共有制御チャネル（ＰＵＳＣＨ）上で前記ＡＣＫを送信すること
を行うようにさらに構成される、Ｃ５０に記載の装置。
［Ｃ６２］
前記ＡＣＫは、多くとも２ビットを備え、前記少なくとも１つのプロセッサは、
前記ＰＵＳＣＨ上での送信のために複数のＡＣＫをともにグループ化すること
を行うようにさらに構成される、Ｃ６１に記載の装置。
［Ｃ６３］
前記少なくとも１つのプロセッサは、
ＡＣＫを送信するというインジケーションが受信されるまで、前記ダウンリンク送信に関連付けられた少なくとも１つのＡＣＫを送信することを控えること
を行うようにさらに構成される、Ｃ５０に記載の装置。
［Ｃ６４］
前記少なくとも１つのプロセッサは、
ＡＣＫを送信するというインジケーションを発展型ノードＢ（ｅＮＢ）から受信することと、
前記インジケーションを受信することに応答して、前記ＰＵＳＣＨ上で前記ｅＮＢにＡＣＫに関して送信することと
を行うようにさらに構成される、Ｃ６３に記載の装置。
［Ｃ６５］
コンピュータ実行可能コードを記憶するコンピュータ可読媒体であって、
ダウンリンク送信を受信することと、
時間拡散を使用して確認応答（ＡＣＫ）チャネル上でシングルトーンＡＣＫを送信することと
を行うためのコードを備える、コンピュータ可読媒体。
［Ｃ６６］
複数のユーザは、時間ドメイン中で複数のシンボルを横切る異なる直交カバーコードと符号分割多重化される、Ｃ６５に記載のコンピュータ可読媒体。
［Ｃ６７］
前記送信は、７つのシンボル期間あたり３つの復調基準信号（ＤＭ−ＲＳ）シンボルを含む、Ｃ６５に記載のコンピュータ可読媒体。
［Ｃ６８］
前記送信は、複数のサブフレームにわたってカバーコードホッピングを使用して送信される、Ｃ６５に記載のコンピュータ可読媒体。
［Ｃ６９］
前記送信は、スロットベースの周波数ホッピングを伴わずに送信される、Ｃ６５に記載のコンピュータ可読媒体。
［Ｃ７０］
前記ＡＣＫは、物理アップリンク共有制御チャネル（ＰＵＳＣＨ）上で送信される、Ｃ６５に記載のコンピュータ可読媒体。
［Ｃ７１］
前記ＡＣＫチャネルを物理アップリンク共有チャネル（ＰＵＳＣＨ）と多重化すること
を行うためのコードをさらに備える、Ｃ６５に記載のコンピュータ可読媒体。
［Ｃ７２］
ワイヤレス通信の方法であって、
確認応答（ＡＣＫ）がしきい値量の時間内にユーザ機器（ＵＥ）から受信されたかどうかを決定することと、
前記ＡＣＫが少なくとも前記しきい値量の時間の間に前記ＵＥから受信されていないときに、前記ＡＣＫに関して送信するというインジケーションを前記ＵＥに送信することと
を備える、方法。
［Ｃ７３］
ＮＡＣＫと、前記ＮＡＣＫまたは前記ＡＣＫと同時に送信されたスケジューリング要求（ＳＲ）とのうちの少なくとも１つのブラインド検出を行うこと
をさらに備える、Ｃ７２に記載の方法。
［Ｃ７４］
ワイヤレス通信のための装置であって、
確認応答（ＡＣＫ）がしきい値量の時間内にユーザ機器（ＵＥ）から受信されたかどうかを決定するための手段と、
前記ＡＣＫが少なくとも前記しきい値量の時間の間に前記ＵＥから受信されていないときに、前記ＡＣＫに関して送信するというインジケーションを前記ＵＥに送信するための手段と
を備える、装置。
［Ｃ７５］
ＮＡＣＫと、前記ＮＡＣＫまたは前記ＡＣＫと同時に送信されたスケジューリング要求（ＳＲ）とのうちの少なくとも１つのブラインド検出を行うための手段
をさらに備える、Ｃ７４に記載の装置。
［Ｃ７６］
ワイヤレス通信のための装置であって、
メモリと、
前記メモリに結合され、
確認応答（ＡＣＫ）がしきい値量の時間内にユーザ機器（ＵＥ）から受信されたかどうかを決定することと、
前記ＡＣＫが少なくとも前記しきい値量の時間の間に前記ＵＥから受信されていないときに、前記ＡＣＫに関して送信するというインジケーションを前記ＵＥに送信することと
を行うように構成された少なくとも１つのプロセッサと
を備える、装置。
［Ｃ７７］
前記少なくとも１つのプロセッサは、
ＮＡＣＫと、前記ＮＡＣＫまたは前記ＡＣＫと同時に送信されたスケジューリング要求（ＳＲ）とのうちの少なくとも１つのブラインド検出を行うように、
さらに構成される、Ｃ７６に記載の装置。
［Ｃ７８］
コンピュータ実行可能コードを記憶するコンピュータ可読媒体であって、
確認応答（ＡＣＫ）がしきい値量の時間内にユーザ機器（ＵＥ）から受信されたかどうかを決定することと、
前記ＡＣＫが少なくとも前記しきい値量の時間の間に前記ＵＥから受信されていないときに、前記ＡＣＫに関して送信するというインジケーションを前記ＵＥに送信することと
を行うためのコードを備える、コンピュータ可読媒体。
［Ｃ７９］
ＮＡＣＫと、前記ＮＡＣＫまたは前記ＡＣＫと同時に送信されたスケジューリング要求（ＳＲ）とのうちの少なくとも１つのブラインド検出を行うためのコード
をさらに備える、Ｃ７８に記載のコンピュータ可読媒体。
【国際調査報告】
2019508938.tif 000025
2019508938.tif 000026
2019508938.tif 000027
2019508938.tif 000028
2019508938.tif 000029
2019508938.tif 000030
2019508938.tif 000031